(57)【特許請求の範囲】
【請求項１】
複数の有価物管理装置と、端末装置と、端末管理装置とを備え、
前記端末装置は、
前記有価物管理装置に対するユーザ操作を受ける端末側操作入力部と、
前記端末側操作入力部が受けたユーザ操作に基づく処理を前記有価物管理装置に行わせるための情報を、操作対象となっている有価物管理装置に送信する端末側通信部と、
を備え、
前記端末管理装置は、
前記端末装置の貸出要求を取得する貸出要求取得部と、
前記貸出要求取得部が取得した貸出要求が示す情報と、貸出要求のあった端末装置の使用許可条件について検出された情報とが整合する場合に、前記貸出要求のあった端末装置を使用可能状態にする端末管理部と、
を備える有価物管理システム。
【請求項２】
前記端末管理装置は、前記端末装置と当該端末装置を使用可能なユーザとが対応付けられたユーザ情報を記憶する管理側記憶部を備え、
前記端末管理部は、ユーザからの端末装置の貸出要求を取得した場合、貸出対象の端末装置として当該ユーザが使用可能な端末装置を前記ユーザ情報に基づいて選択する、
請求項１に記載の有価物管理システム。
【請求項３】
前記端末装置は、１つ以上の有価物管理装置について当該有価物管理装置を操作するための操作プログラムを記憶する端末側記憶部を備え、
前記端末管理装置は、端末装置の貸出要求であって操作対象の有価物管理装置を示す情報を含む貸出要求を取得した場合、当該操作対象の有価物管理装置を操作するための操作プログラムを記憶している端末装置を、貸出対象の端末装置として選択する、
請求項１に記載の有価物管理システム。
【請求項４】
前記端末管理部は、端末装置の貸出要求であって操作対象の有価物管理装置を示す情報を含む貸出要求を取得した場合、当該操作対象の有価物管理装置を操作するための操作プログラムを端末装置に記憶させ、当該操作プログラムを記憶させた端末装置を貸出対象の端末装置として選択する、請求項１に記載の有価物管理システム。
【請求項５】
前記有価物管理装置は、
当該有価物管理装置を操作するための操作画面を前記端末装置に表示させる操作プログラムを記憶する処理装置側記憶部と、
当該有価物管理装置と前記端末装置とが通信接続された場合、通信接続された端末装置に前記操作プログラムを送信する処理装置側通信部と、
を備える、
請求項１に記載の有価物管理システム。
【請求項６】
前記端末装置は、
ユーザの顔画像を撮像する撮像部と、
前記撮像部が撮像した顔画像に基づいて認証処理を行うユーザ認証部と、
を備える請求項１から５の何れか一項に記載の有価物管理システム。
【請求項７】
前記端末装置は、有価物管理装置に予め定められた範囲内に位置する場合に、当該有価物管理装置を操作するための操作画面を表示する表示部を備える、請求項１から６の何れか一項に記載の有価物管理システム。
【請求項８】
前記端末管理装置は、貸し出された端末装置に対して設定されている返却予定時刻が到来したことを検出し、かつ、当該端末装置が返却されていないことを検出すると、警告を出力する警告出力部を備える、請求項１から７の何れか一項に記載の有価物管理システム。
【請求項９】
前記端末管理部は、貸し出された端末装置が返却された場合、当該端末装置が記憶している操作履歴情報を消去する、請求項１から８の何れか一項に記載の有価物管理システム。
【請求項１０】
前記端末装置は、
前記有価物管理装置と通信接続する端末側通信部と、
前記有価物管理装置に対するユーザ操作を受ける端末側操作入力部と、
前記端末側操作入力部が受けたユーザ操作に基づいて、前記有価物管理装置への前記情報を取得する処理情報取得部と、
前記処理情報取得部が取得した前記情報を記憶する端末側記憶部と、
を備え、
前記処理情報取得部は、前記端末側通信部が通信接続していない有価物管理装置に対するユーザ操作を前記端末側操作入力部が受けた場合、当該ユーザ操作に基づいて取得した前記情報を前記端末側記憶部に記憶させ、
前記端末側通信部は、当該端末側通信部と、前記端末側記憶部が記憶している情報の送信先となっている有価物管理装置とが通信接続した場合、当該情報を当該有価物管理装置に送信する、
請求項１から９の何れか一項に記載の有価物管理システム。
【請求項１１】
前記端末管理部は、貸し出された端末装置が返却された場合、当該端末装置の端末側記憶部が記憶している情報を端末管理装置の管理側記憶部に記憶させる、請求項１から１０の何れか一項に記載の有価物管理システム。
【請求項１２】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置であって、
前記端末装置の貸出要求を取得する貸出要求取得部と、
前記貸出要求取得部が取得した貸出要求が示す情報と、貸出要求のあった端末装置の使用許可条件について検出された情報とが整合する場合に、前記貸出要求のあった端末装置を使用可能状態にする端末管理部と、
を備える端末管理装置。
【請求項１３】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置であって、
前記端末装置の貸出要求を取得する貸出要求取得部と、
貸出要求したユーザを認証する管理側ユーザ認証部と、
認証されたユーザに使用権限が与えられている前記有価物管理装置の操作プログラムを選択して、前記端末装置に送信する使用情報送信部と、
を備える端末管理装置。
【請求項１４】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置の貸出処理方法であって、
前記端末管理装置が、前記端末装置の貸出要求を取得する貸出要求取得ステップと、
前記端末管理装置が、前記貸出要求取得ステップで取得した貸出要求が示す情報と、貸出要求のあった端末装置の使用許可条件について検出された情報とが整合する場合に、前記貸出要求のあった端末装置を使用可能状態にする端末管理ステップと、
を含む貸出処理方法。
【請求項１５】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置の貸出処理方法であって、
前記端末管理装置が、前記端末装置の貸出要求を取得する貸出要求取得ステップと、
前記端末管理装置が、貸出要求したユーザを認証する管理側ユーザ認証ステップと、
前記端末管理装置が、認証されたユーザに使用権限が与えられている前記有価物管理装置の操作プログラムを選択して、前記端末装置に送信する使用情報送信ステップと、
を含む貸出処理方法。
【請求項１６】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行うコンピュータに、
前記端末装置の貸出要求を取得する貸出要求取得ステップと、
前記貸出要求取得ステップで取得した貸出要求が示す情報と、貸出要求のあった端末装置の使用許可条件について検出された情報とが整合する場合に、前記貸出要求のあった端末装置を使用可能状態にする端末管理ステップと、
を実行させるためのプログラム。
【請求項１７】
有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行うコンピュータに、
前記端末装置の貸出要求を取得する貸出要求取得ステップと、
貸出要求したユーザを認証する管理側ユーザ認証ステップと、
認証されたユーザに使用権限が与えられている前記有価物管理装置の操作プログラムを選択して、前記端末装置に送信する使用情報送信ステップと、
を実行させるためのプログラム。
【発明の詳細な説明】
【技術分野】
【０００１】
本発明は、有価物管理システム、端末管理装置、貸出処理方法及びプログラムに関する。
【背景技術】
【０００２】
貨幣や有価証券、手形等の有価物を管理する有価物管理装置には、一般的に、操作者（有価物管理装置のユーザ）の意図に従って有価物管理装置を動作させるために、動作指示や必要データを入力するユーザ操作を受ける操作入力部が設けられている。例えば、特許文献１では、操作部が設けられた出納機が示されている。
【先行技術文献】
【特許文献】
【０００３】
【特許文献１】特開２０１２−２３４４９０号公報
【発明の概要】
【発明が解決しようとする課題】
【０００４】
有価物管理装置では、金銭や有価証券など価値の高い物が収納されるため、不正操作の可能性を低減させてセキュリティを確保することが重要である。
【０００５】
本発明は、有価物管理装置への不正操作の可能性を低減させることができる有価物管理システム、端末管理装置、端末管理方法及びプログラムを提供する。
【課題を解決するための手段】
【０００６】
本発明の第１の態様によれば、有価物管理システムは、複数の有価物管理装置と、端末装置と、端末管理装置とを備え、前記端末装置は、前記有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備え、前記端末管理装置は、前記端末装置の貸出要求を取得する貸出要求取得部と、前記貸出要求取得部が取得した貸出要求が示す情報と、貸出要求のあった端末装置の使用許可条件について検出された情報とが整合する場合に、前記貸出要求のあった端末装置を使用可能状態にする端末管理部と、を備える。
【０００７】
前記端末管理装置は、前記端末装置と当該端末装置を使用可能なユーザとが対応付けられたユーザ情報を記憶する管理側記憶部を備え、前記端末管理部は、ユーザからの端末装置の貸出要求を取得した場合、貸出対象の端末装置として当該ユーザが使用可能な端末装置を前記ユーザ情報に基づいて選択する、ようにしてもよい。
【０００８】
前記端末装置は、１つ以上の有価物管理装置について当該有価物管理装置を操作するための操作プログラムを記憶する端末側記憶部を備え、前記端末管理装置は、端末装置の貸出要求であって操作対象の有価物管理装置を示す情報を含む貸出要求を取得した場合、当該操作対象の有価物管理装置を操作するための操作プログラムを記憶している端末装置を、貸出対象の端末装置として選択する、ようにしてもよい。
【０００９】
前記端末管理部は、端末装置の貸出要求であって操作対象の有価物管理装置を示す情報を含む貸出要求を取得した場合、当該操作対象の有価物管理装置を操作するための操作プログラムを端末装置に記憶させ、当該操作プログラムを記憶させた端末装置を貸出対象の端末装置として選択する、ようにしてもよい。
【００１０】
前記有価物管理装置は、当該有価物管理装置を操作するための操作画面を前記端末装置に表示させる操作プログラムを記憶する処理装置側記憶部と、当該有価物管理装置と前記端末装置とが通信接続された場合、通信接続された端末装置に前記操作プログラムを送信する処理装置側通信部と、を備える、ようにしてもよい。
【００１１】
前記端末装置は、ユーザの顔画像を撮像する撮像部と、前記撮像部が撮像した顔画像に基づいて認証処理を行うユーザ認証部と、を備えるようにしてもよい。
【００１２】
前記端末装置は、有価物管理装置に予め定められた範囲内に位置する場合に、当該有価物管理装置を操作するための操作画面を表示する表示部を備える、ようにしてもよい。
【００１３】
前記端末管理装置は、貸し出された端末装置に対して設定されている返却予定時刻が到来したことを検出し、かつ、当該端末装置が返却されていないことを検出すると、警告を出力する警告出力部を備える、ようにしてもよい。
【００１４】
前記端末管理部は、貸し出された端末装置が返却された場合、当該端末装置が記憶している操作履歴情報を消去する、ようにしてもよい。
【００１５】
前記端末装置は、前記有価物管理装置と通信接続する端末側通信部と、前記有価物管理装置に対するユーザ操作を受ける端末側操作入力部と、前記端末側操作入力部が受けたユーザ操作に基づいて、前記有価物管理装置への前記情報を取得する処理情報取得部と、前記処理情報取得部が取得した前記情報を記憶する端末側記憶部と、を備え、前記処理情報取得部は、前記端末側通信部が通信接続していない有価物管理装置に対するユーザ操作を前記端末側操作入力部が受けた場合、当該ユーザ操作に基づいて取得した前記情報を前記端末側記憶部に記憶させ、前記端末側通信部は、当該端末側通信部と、前記端末側記憶部が記憶している情報の送信先となっている有価物管理装置とが通信接続した場合、当該情報を当該有価物管理装置に送信する、ようにしてもよい。
【００１６】
前記端末管理部は、貸し出された端末装置が返却された場合、当該端末装置の端末側記憶部が記憶している情報を端末管理装置の管理側記憶部に記憶させる、ようにしてもよい。
【００１７】
本発明の第２の態様によれば、端末管理装置は、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置であって、前記端末装置の貸出要求を取得する貸出要求取得部と、前記貸出要求取得部が取得した貸出要求が示す情報と、貸出要求のあった端末装置の使用許可条件について検出された情報とが整合する場合に、前記貸出要求のあった端末装置を使用可能状態にする端末管理部と、を備える。
【００１８】
本発明の第３の態様によれば、端末管理装置は、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置であって、前記端末装置の貸出要求を取得する貸出要求取得部と、貸出要求したユーザを認証する管理側ユーザ認証部と、認証されたユーザに使用権限が与えられている前記有価物管理装置の操作プログラムを選択して、前記端末装置に送信する使用情報送信部と、を備える。
【００１９】
本発明の第４の態様によれば、貸出処理方法は、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置の貸出処理方法であって、前記端末管理装置が、前記端末装置の貸出要求を取得する貸出要求取得ステップと、前記端末管理装置が、前記貸出要求取得ステップで取得した貸出要求が示す情報と、貸出要求のあった端末装置の使用許可条件について検出された情報とが整合する場合に、前記貸出要求のあった端末装置を使用可能状態にする端末管理ステップと、を含む。
【００２０】
本発明の第５の態様によれば、貸出処理方法は、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行う端末管理装置の貸出処理方法であって、前記端末管理装置が、前記端末装置の貸出要求を取得する貸出要求取得ステップと、前記端末管理装置が、貸出要求したユーザを認証する管理側ユーザ認証ステップと、前記端末管理装置が、認証されたユーザに使用権限が与えられている前記有価物管理装置の操作プログラムを選択して、前記端末装置に送信する使用情報送信ステップと、を含む。
【００２１】
本発明の第６の態様によれば、プログラムは、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行うコンピュータに、前記端末装置の貸出要求を取得する貸出要求取得ステップと、前記貸出要求取得ステップで取得した貸出要求が示す情報と、貸出要求のあった端末装置の使用許可条件について検出された情報とが整合する場合に、前記貸出要求のあった端末装置を使用可能状態にする端末管理ステップと、を実行させるためのプログラムである。
【００２２】
本発明の第７の態様によれば、プログラムは、有価物管理装置に対するユーザ操作を受ける端末側操作入力部と、前記端末側操作入力部が受けたユーザ操作に基づく処理を前記有価物管理装置に行わせるための情報を、操作対象となっている有価物管理装置に送信する端末側通信部と、を備える端末装置の貸出処理を行うコンピュータに、前記端末装置の貸出要求を取得する貸出要求取得ステップと、貸出要求したユーザを認証する管理側ユーザ認証ステップと、認証されたユーザに使用権限が与えられている前記有価物管理装置の操作プログラムを選択して、前記端末装置に送信する使用情報送信ステップと、を実行させるためのプログラムである。
【発明の効果】
【００２３】
本発明によれば、有価物管理装置への不正操作の可能性を低減させることができる。
【図面の簡単な説明】
【００２４】
【図１】本発明の第１の実施形態に係る有価物管理システムの装置構成を示す概略構成図である。
【図２】同実施形態における出納機の外形の例を示す説明図である。
【図３】同実施形態における現金管理装置の外形の例を示す説明図である。
【図４】同実施形態における重要物管理装置の外形の例を示す説明図である。
【図５】同実施形態における有価物管理装置の機能構成を示す概略ブロック図である。
【図６】同実施形態におけるタブレット端末装置の機能構成を示す概略ブロック図である。
【図７】同実施形態における端末側表示部が表示する操作画面の第１の例を示す説明図である。
【図８】同実施形態における端末側表示部が表示する操作画面の第２の例を示す説明図である。
【図９】同実施形態における端末側表示部が表示する操作画面の第３の例を示す説明図である。
【図１０】同実施形態における端末側表示部が表示する操作画面の第４の例を示す説明図である。
【図１１】同実施形態における端末管理装置の機能構成を示す概略ブロック図である。
【図１２】同実施形態における端末管理装置の外形の例を示す説明図である。
【図１３】同実施形態における有価物管理システムの動作の概略を示す説明図である。
【図１４】同実施形態における端末管理装置及びタブレット端末装置が、ユーザのタブレット端末装置へのログイン処理を行う処理手順の例を示す説明図である。
【図１５】同実施形態におけるタブレット端末装置及び有価物管理装置が、有価物管理装置への接続処理を行う手順の例を示す説明図である。
【図１６】同実施形態におけるタブレット端末装置及び有価物管理装置が、端末側操作入力部が受ける有価物管理装置への操作に対応する処理の手順の例を示す説明図である。
【図１７】同実施形態におけるタブレット端末装置及び有価物管理装置が、有価物管理装置からの切断処理を行う手順の例を示す説明図である。
【図１８】同実施形態における端末管理装置及びタブレット端末装置が、ユーザのタブレット端末装置からのログアウト処理を行う手順の例を示す説明図である。
【図１９】本発明の第２の実施形態に係る有価物管理装置の機能構成を示す概略ブロック図である。
【図２０】同実施形態におけるタブレット端末装置の機能構成を示す概略ブロック図である。
【図２１】同実施形態において、タブレット端末装置及び有価物管理装置が、有価物管理装置への接続処理を行う手順の例を示す説明図である。
【図２２】同実施形態において、タブレット端末装置及び有価物管理装置が、有価物管理装置からの切断処理を行う手順の例を示す説明図である。
【図２３】本発明の第３の実施形態に係る端末管理装置の機能構成を示す概略構成図である。
【図２４】同実施形態において、端末管理装置及びタブレット端末装置が、ユーザのタブレット端末装置へのログイン処理を行う手順の例を示す説明図である。
【図２５】同実施形態において、端末管理装置及びタブレット端末装置が、タブレット端末装置からのログアウト処理を行う手順の例を示す説明図である。
【図２６】本発明の第４の実施形態に係る有価物管理システムの装置構成を示す概略構成図である。
【図２７】同実施形態における端末管理装置の機能構成を示す概略構成図である。
【図２８】同実施形態において、端末管理装置及びタブレット端末装置が、ユーザのタブレット端末装置へのログイン処理を行う手順の例を示す説明図である。
【図２９】本発明の第５の実施形態に係る端末管理装置の外形の例を示す説明図である。
【図３０】同実施形態において、端末管理装置及びタブレット端末装置が、ユーザに応じてタブレット端末装置を使用可能な状態に設定する処理手順の例を示す説明図である。
【図３１】本発明の第６の実施形態に係る有価物管理システムの装置構成を示す概略構成図である。
【図３２】同実施形態における、有価物管理システムの動作の概略を示す説明図である。
【図３３】同実施形態において、タブレット端末装置が、ユーザのタブレット端末装置へのログイン処理を行う処理手順の例を示す説明図である。
【図３４】同実施形態において、タブレット端末装置が、ユーザのタブレット端末装置からのログアウト処理を行う手順の例を示す説明図である。
【発明を実施するための形態】
【００２５】
以下、本発明の実施形態を説明するが、以下の実施形態は特許請求の範囲にかかる発明を限定するものではない。また、実施形態の中で説明されている特徴の組み合わせの全てが発明の解決手段に必須であるとは限らない。
【００２６】
＜第１の実施形態＞
図１は、本発明の第１の実施形態に係る有価物管理システムの装置構成を示す概略構成図である。同図に示すように、有価物管理システム１は、複数の有価物管理装置１００と、１つ以上のタブレット端末装置２００と、端末管理装置３００とを備える。
有価物管理システム１は、有価物の管理を行うシステムである。特に、有価物管理システム１は、金銭及び有価証券等の有価物を格納し集計するシステムである。
【００２７】
有価物管理装置１００は、有価物の格納及び集計など、有価物の管理を行う。特に、有価物管理装置１００は、金銭及び有価証券の格納及び集計を行う。本実施形態では、有価物管理システム１が、有価物管理装置１００として、出納機、現金管理装置及び重要物管理装置を備える場合を例に説明する。
ここで、図２〜図４を参照して、有価物管理装置１００の例である出納機、現金管理装置及び重要物管理装置について説明する。
【００２８】
図２は、出納機の外形の例を示す説明図である。この出納機４１０は、例えば銀行等の金融機関の店舗に設置されて店舗全体の貨幣処理を管理する。出納機４１０は、例えば、大口顧客に対する係員による入金、出金等の取引処理、係員による渉外先への持ち出し金の出金処理や、渉外先からの持ち帰り金の入金処理、さらには、営業終了後の金融機関店舗全体での入出金状況の締め上げ管理等を行う。
【００２９】
出納機４１０では、紙幣の入出金処理等を行う紙幣処理装置４１１と、紙幣のうち特に新券の出金処理等を行う新券処理装置４１２と、硬貨の入出金処理等を行う硬貨処理装置４１３とが左右に並設されて構成されている。紙幣処理装置４１１は、本体４２１と、本体４２１から前面側に引出可能な引出体４２２とを含んで構成されている。また、本体４２１の前面側の上部には、機外からバラ紙幣が投入されるとともに機内から出金用のバラ紙幣が繰り出される入出金部４３１が設けられている。入出金部４３１の下側には、受け付け不可と判定された紙幣（入金リジェクト紙幣）が出納機４１０内から繰り出される入金リジェクト部４３２が設けられている。また、入出金部４３１の上側には、本体４２１の内部で結束した小束紙幣を出納機４１０外へ繰り出す束出金部４３３が設けられている。さらには、硬貨処理装置４１３は、本体４３４の前面側の上部に、機外からバラ硬貨が投入される硬貨入金部４３５が設けられるとともに、機内から出金用のバラ硬貨が繰り出される硬貨出金部４３６が設けられている。硬貨入金部４３５の下側には、受け付け不可と判定された硬貨（入金リジェクト硬貨）が本体４３４内から繰り出される硬貨入金リジェクト部４３７が設けられている。また、硬貨入金部４３５の側方には、本体４３４の内部で包装された棒金を出納機４１０外へ繰り出す棒金出金部４３８が設けられている。また、硬貨処理装置４１３の上部に、ユーザによる操作入力を受ける操作入力部４１４と、ユーザに対して表示を行う表示部４１５とが設けられている。
【００３０】
この構成により、出納機４１０は、金銭の出し入れ操作を受け、入金を格納し出し入れされる金銭を集計する。また、出納機４１０は、紙幣や硬貨を纏める処理(紙幣の札束化及び硬貨の棒金化)を行う。
なお、有価物管理システム１では、操作入力部４１４と表示部４１５とは必須ではない。すなわち、出納機４１０が操作入力部４１４及び表示部４１５のうち何れか一方、または両方を備えていなくてもよい。
【００３１】
図３は、現金管理装置の外形の例を示す説明図である。この現金管理装置４４０は、主として束紙幣や棒金の入出を行って管理を行う装置であって、前記した出納機４１０に隣接設置され、あるいは、店舗の係員側スペースに設置されて係員により取り扱われるものであり、出納機４１０の補足的な装置として利用される。すなわち、前記したように、出納機４１０は店舗全体の貨幣処理を管理するものであり、バラ紙幣とバラ硬貨の入出金を行うとともに、少量の束紙幣、棒金の出金を、前記出納機４１０単独で行うことができる一方、多量の束紙幣、棒金の出金が必要なときには、収納されている紙幣量、硬貨量との兼ね合いや、出金に要する時間の短縮化のために、出納機４１０からの大量出金に代えて、この現金管理装置４４０から束紙幣や棒金を出金する。また、出納機４１０内の紙幣量、硬貨量が多くなり、出納機４１０内の保管が適切でないときには、それぞれ束紙幣化、棒金化して、前記出納機４１０から出金し、この現金管理装置４４０に保管する。さらには、例えば、窓口カウンタに近い位置で主に小束紙幣および棒金を入出庫可能に収納する。
現金管理装置４４０は、箱型の現金管理装置本体４４１と、現金管理装置４４０の前面に上下７段設けられた収納庫４４２及び１段の予備収納庫４４３とを含んで構成されている。収納庫４４２には、小束紙幣及び棒金が分類されて収納される。また、予備収納庫４４３には、バラ紙幣、バラ硬貨、汚損紙幣、汚損硬貨などに加えて、有価証券類、その他印鑑等の重要小物が収納される。また、現金管理装置本体４４１の上部には、ユーザによる操作入力を受ける操作入力部４４４と、ユーザに対して表示を行う表示部４４５とが設けられている。
【００３２】
この構成により現金管理装置４４０は、金銭を格納する。また、現金管理装置は、収納されている金銭を計数（スキャン）することで、入金された金銭、出金された金銭を算出する。
なお、有価物管理システム１では、操作入力部４４４と表示部４４５とは必須ではない。すなわち、現金管理装置４４０が操作入力部４４４及び表示部４４５のうち何れか一方、または両方を備えていなくてもよい。
【００３３】
図４は、重要物管理装置の外形の例を示す説明図である。この重要物管理装置４５０は、例えば、金融機関等の建屋の執務室のフロアに設置される。重要物管理装置４５０は、大きさ及び形状の異なる保管体４５１が複数組み合わせられて一体に構成されている。保管体４５１は耐火構造になっており、金銭及び有価証券などの重要物を収納する。また、重要物管理装置４５０には、カードリーダを備えてユーザがカードを通す操作を受ける操作入力部４５２、及び、ユーザに対して表示を行う表示部４５３が設けられている。
この構成により重要物管理装置４５０は、金銭及び有価証券などの重要物を格納する。
なお、有価物管理システム１では、操作入力部４５２と表示部４５３とは必須ではない。すなわち、重要物管理装置４５０が操作入力部４５２及び表示部４５３のうち何れか一方、または両方を備えていなくてもよい。
【００３４】
ユーザが出納機４１０に対して行う操作と、現金管理装置４４０に対して行う操作と、重要物管理装置４５０に対して行う操作とが関連する場合がある。例えば、ユーザが、出納機４１０に収納されている現金を、現金管理装置４４０と重要物管理装置４５０とに分けて移動させる場合、現金管理装置４４０への入金額と重要物管理装置４５０への入金額との合計が、出納機４１０からの出金額に等しくなる。そこで、有価物管理システム１が、出納機４１０からの出金額から現金管理装置４４０への出金額を減算して重要物管理装置４５０への入金額を算出し記録することで、ユーザは、重要物管理装置４５０への入金額を算出し記録する操作を行う必要がなくなる。これにより、ユーザの負担を軽減させることができる。
【００３５】
なお、有価物管理システム１が備える有価物管理装置１００は、出納機、現金管理装置及び重要物管理装置に限らない。有価物管理システム１が、出納機、現金管理装置及び重要物管理装置の何れかを備えていなくてもよい。また、有価物管理システム１が、有価物管理装置１００として出納機、現金管理装置及び重要物管理装置以外の機器を備えていてもよい。
【００３６】
タブレット端末装置２００は、端末装置の例に該当し、有価物管理装置１００の端末装置として機能する。具体的には、タブレット端末装置２００は、有価物管理装置１００と通信接続する。そして、有価物管理装置１００は、タブレット端末装置２００がタブレット端末装置２００に対するユーザ操作を受けると、当該ユーザ操作に基づいて、有価物管理装置１００に処理を行わせるための情報を取得し、当該タブレット端末装置２００が取得した情報を当該有価物管理装置１００へ送信することで、必要な処理を実行することになる。
ここで、タブレット端末装置２００が、有価物管理装置１００に処理を行わせるための情報を生成するようにしてもよい。また、タブレット端末装置２００が、有価物管理装置１００から、他の有価物管理装置１００に処理を行わせるための情報を取得するようにしてもよい。すなわち、ここでいう取得は、生成であってもよいし、他の装置からの取得であってもよい。
【００３７】
端末管理装置３００は、タブレット端末装置２００の貸出処理を行う装置である。具体的には端末管理装置３００は、タブレット端末装置２００のユーザへの貸出の可否を決定し、また、ユーザに貸し出すタブレット端末装置２００を選択する。また、端末管理装置３００は、返却されたタブレット端末装置２００で行われた有価物管理装置１００への操作に関する情報を読み出して記憶する。これにより、端末管理装置３００は、複数のタブレット端末装置２００で行われた有価物管理装置１００への操作に関する情報を一括管理する。
【００３８】
図５は、有価物管理装置１００の機能構成を示す概略ブロック図である。同図に示すように、有価物管理装置１００は、処理装置側通信部１１０と、処理装置側表示部１２０と、処理装置側操作入力部１３０と、処理装置側記憶部１８０と、処理装置側制御部１９０とを備える。処理装置側制御部１９０は、接続管理部１９１と、操作プログラム送出処理部１９２と、処理実行部１９３とを備える。
処理装置側通信部１１０は、タブレット端末装置２００と一対一に通信接続して通信を行う。特に、有価物管理装置１００が、タブレット端末装置２００と有価物管理装置１００自らとの通信接続を許可した場合、処理装置側通信部１１０は、有価物管理装置１００を操作するための操作画面をタブレット端末装置２００に表示させる操作プログラムを、通信接続を許可されたタブレット端末装置２００に送信する。タブレット端末装置２００は、この操作プログラムを実行することで、有価物管理装置１００の端末装置として機能する。
【００３９】
処理装置側通信部１１０は、例えばBluetooth（登録商標）にてタブレット端末装置２００と一対一に通信接続する。特に、処理装置側通信部１１０が近距離無線通信にてタブレット端末装置２００と接続することで、ユーザは、タブレット端末装置２００を有価物管理装置１００に近づけるという簡単な操作で、タブレット端末装置２００と通信接続させる有価物管理装置１００を選択することができる。
但し、処理装置側通信部１１０がタブレット端末装置２００と一対一に通信接続する方法は、Bluetooth（登録商標）による方法に限らない。例えば、処理装置側通信部１１０が、ＮＦＣ（Near Field Communication）又はＩｒＤＡ（Infrared Data Association。ＩｒＤＡは登録商標）等の無線通信方式にてタブレット端末装置２００と一対一に通信接続するようにしてもよい。あるいは、処理装置側通信部１１０が、タブレット端末装置２００と有線接続する接続端子を備え、この接続端子に接続されたタブレット端末装置２００と有線にて一対一に通信接続するようにしてもよい。例えば、有価物管理装置１００が、タブレット端末装置２００を挿入するためのスロットを有し、ユーザがこのスロットにタブレット端末装置２００を挿入すると処理装置側通信部１１０とタブレット端末装置２００とが通信接続するようにしてもよい。
また、処理装置側通信部１１０が複数のタブレット端末装置２００と同時に接続可能に構成されていてもよい。
【００４０】
処理装置側表示部１２０は、例えば液晶パネル等の表示画面を含んで構成され、各種情報を表示する。
処理装置側操作入力部１３０は、例えば操作キーなどの入力デバイスを含んで構成され、有価物管理装置１００に対するユーザ操作を受ける。
但し、処理装置側表示部１２０及び処理装置側操作入力部１３０は、有価物管理装置１００に必須ではない。すなわち、有価物管理装置１００が、処理装置側表示部１２０及び処理装置側操作入力部１３０のうち何れか一方又は両方を備えていなくてもよい。タブレット端末装置２００が有価物管理装置１００の端末装置として機能することで、有価物管理装置１００は、処理装置側表示部１２０に代えてタブレット端末装置２００に各種情報を表示させることができる。また、タブレット端末装置２００が有価物管理装置１００の端末装置として機能することで、有価物管理装置１００は、処理装置側操作入力部１３０に代えてタブレット端末装置２００が受けたユーザ操作に従って動作することができる。
このように、タブレット端末装置２００が有価物管理装置１００の端末装置として機能することで、処理装置側操作入力部１３０を実装可能な面積が小さい場合でも、あるいは、有価物管理装置１００が処理装置側操作入力部１３０を備えていない場合でも、ユーザの操作性を確保することができる。
【００４１】
処理装置側記憶部１８０は、有価物管理装置１００が備える記憶デバイスを含んで構成され、各種情報を記憶する。特に、処理装置側記憶部１８０は、処理装置側記憶部１８０自らを備える有価物管理装置１００を操作するための操作画面をタブレット端末装置２００に表示させる操作プログラムを記憶している。
処理装置側制御部１９０は、有価物管理装置１００の各部を制御して各種機能を実行する。処理装置側制御部１９０は、例えば、有価物管理装置１００が備えるＣＰＵ（Central Processing Unit、中央処理装置）が処理装置側記憶部１８０からプログラムを読み出して実行することで実現される。
【００４２】
接続管理部１９１は、処理装置側通信部１１０とタブレット端末装置２００との通信接続の可否を決定する。特に、接続管理部１９１は、接続管理部の例に該当し、タブレット端末装置２００からの通信接続要求に応じてそのタブレット端末装置２００と、接続管理部１９１自らを備える有価物管理装置１００との通信接続を許可する。そして、接続管理部１９１は、通信接続されたタブレット端末装置２００のユーザの有価物管理装置１００への装置接続処理を行う。ここでいう装置接続とは、タブレット端末装置２００と有価物管理装置１００との通信接続である。また、接続管理部１９１は、タブレット端末装置２００と、接続管理部１９１自らを備える有価物管理装置１００との通信接続が終了する（切断される）と、タブレット端末装置２００のユーザに対するログアウト処理を行う。
【００４３】
操作プログラム送出処理部１９２は、処理装置側記憶部１８０が記憶している操作プログラム（操作プログラム送出処理部１９２自らを備える有価物管理装置１００を操作するための操作画面をタブレット端末装置２００に表示させる操作プログラム）をタブレット端末装置２００に送出する処理を行う。具体的には、操作プログラム送出処理部１９２は、処理装置側通信部１１０とタブレット端末装置２００とが通信接続されると、処理装置側記憶部１８０が記憶している操作プログラムを読み出し、読み出した操作プログラムを処理装置側通信部１１０に出力してタブレット端末装置２００へ送信させる。
【００４４】
処理実行部１９３は、金銭又は有価証券など有価物の出し入れ及び集計に関する処理を実行する。特に、接続管理部１９１がタブレット端末装置２００と有価物管理装置１００との通信接続を許可した場合、このタブレット端末装置２００が送信する情報（有価物管理装置１００に処理を行わせるための情報）に基づいて処理を行う。また、処理装置側操作入力部１３０がユーザ操作を受けた場合、このユーザ操作に基づいて処理を行う。
【００４５】
図６は、タブレット端末装置２００の機能構成を示す概略ブロック図である。同図に示すように、タブレット端末装置２００は、端末側通信部２１０と、端末側表示部２２０と、端末側操作入力部２３０と、撮像部２４０と、端末側記憶部２８０と、端末側制御部２９０とを備える。端末側制御部２９０は、端末側ユーザ認証部２９１と、装置接続部２９２と、処理情報取得部２９３とを備える。
端末側通信部２１０は、有価物管理装置１００の処理装置側通信部１１０と通信接続して通信を行う。特に、端末側通信部２１０は、端末側通信部２１０自らと有価物管理装置１００との通信接続要求を、要求先の有価物管理装置１００へ送信する。この通信接続要求を受けた有価物管理装置１００では、上記のように、接続管理部１９１が通信接続を許可する。この許可に応じて、端末側通信部２１０と処理装置側通信部１１０とが通信接続する。
【００４６】
また、端末側通信部２１０は、端末側操作入力部２３０が受けた操作に基づいて処理情報取得部２９３が取得した情報（有価物管理装置１００に処理を行わせるための情報）を、通信接続を許可された有価物管理装置１００へ送信する。
さらに、端末側通信部２１０は、端末側記憶部２８０が有価物管理装置１００へ送信される情報を記憶している場合、当該情報の送信先となっている有価物管理装置１００と端末側通信部２１０とが通信接続すると、当該有価物管理装置へ当該情報を送信する。
【００４７】
端末側表示部２２０は、例えば液晶パネルまたはＬＥＤ（Light-emitting Diode、発光ダイオード）パネルなどの表示画面を含んで構成され、各種画像を表示する。特に、端末側表示部２２０は、端末側表示部２２０自らを備えるタブレット端末装置２００と有価物管理装置１００との通信接続を許可された場合、当該有価物管理装置を操作するための操作画面を表示する。具体的には、端末側表示部２２０自らを備えるタブレット端末装置２００と有価物管理装置１００とが通信接続されて、有価物管理装置１００が操作プログラムを送信すると、タブレット端末装置２００は、送信されたプログラムを一旦、端末側記憶部２８０に記憶させた上で、端末側表示部２２０が、この操作プログラムに基づいて操作画面を表示する。
【００４８】
例えば、タブレット端末装置２００は、有価物管理装置１００に予め定められた範囲内に位置するようになると、タブレット端末装置２００と有価物管理装置１００とが通信接続し、有価物管理装置１００が操作プログラムをタブレット端末装置２００へ送信する。そして、タブレット端末装置２００では、端末側通信部２１０がこの操作プログラムを受信し、一旦、端末側記憶部２８０に記憶させた上で、端末側表示部２２０が、この操作プログラムを実行して、有価物管理装置１００を操作するための操作画面を表示する。上述したように、端末側表示部２２０が操作画面を表示することで、タブレット端末装置２００は有価物管理装置１００の端末装置として機能する。
【００４９】
また、端末側表示部２２０は、警告出力部の例に該当し、端末側表示部２２０自らの備えるタブレット端末装置２００からのログアウト操作を端末側操作入力部２３０が受け、かつ、端末側記憶部２８０が有価物管理装置１００に送信される情報を記憶している場合に警告を出力する（警告メッセージを表示する）。すなわち、有価物管理装置１００へ未送信の情報を端末側記憶部２８０が記憶している状態で、ユーザがタブレット端末装置２００からログアウトしようとした場合、端末側表示部２２０は、未送信の情報が残っていることをユーザに警告する。
【００５０】
但し、未送信の情報が残っていることを示す警告をタブレット端末装置２００が出力する方法は、端末側表示部２２０によるメッセージの表示に限らない。例えば、タブレット端末装置２００が、警告出力部としてスピーカを備え、未送信の情報が残っていることを示す警告をスピーカが音声メッセージにて出力するようにしてもよい。あるいは、未送信の情報が残っていることを示す情報を端末側通信部２１０が他の装置に送信するようにしてもよい。この場合、端末側通信部２１０が警告出力部の例に該当する。
【００５１】
図７は、端末側表示部２２０が表示する操作画面の第１の例を示す説明図である。同図では、出納機から重要物管理装置へ移動する現金を出納機から取り出す際の操作画面の例を示している。
図７の領域Ａ１１１は、小切手または現金といった種別を入力する欄である。領域Ａ１１２に示されている下三角（▼）は、種別のメニューウインドウを表示するための操作領域である。ユーザが、領域Ａ１１２を選択する操作（例えば、領域Ａ１１２にタッチする操作）を行うと、端末側表示部２２０は、種別のメニューウインドウを表示する。ユーザは、表示されたメニューウインドウに示されている項目の何れかを選択する。図７の例では、種別として「現金・小切手」が選択されている。
【００５２】
また、領域Ａ１２１は、金種を入力する欄である。領域Ａ１２２に示されている下三角は、金種のメニューウインドウを表示するための操作領域である。ユーザが、領域Ａ１２２を選択する操作を行うと、端末側表示部２２０は、金種のメニューウインドウを表示する。ユーザは、表示されたメニューウインドウに示されている項目の何れかを選択する。図７の例では、金種として「１万円札（１００枚束）」が選択されている。
【００５３】
また、領域Ａ１３１は、数量を入力する欄である。具体的にはユーザは、選択した金種（領域Ａ１２１に表示されている「１万円札（１００枚束）」）を出納機から取り出す数量を領域Ａ１３１に入力する。図７の例では、数量として「２」が入力されている。
また、領域Ａ１４１は、出納機から取り出した有価物の保管先の金庫室（図７の例では、重要物管理装置の保管体）を示す情報を入力する領域である。領域Ａ１４２に示されている下三角は、有価物の保管先のメニューウインドウを表示するための操作領域である。ユーザが領域Ａ１４２を選択する操作を行うと、端末側表示部２２０は、有価物の保管先のメニューウインドウを表示する。ユーザは、表示されたメニューウインドウに示されている項目の何れかを選択する。図７の例では、有価物の保管先として金庫室Ａが選択されている。
また、領域Ａ１５１は、操作画面に示されている操作を取り消す場合のタッチ領域である。領域Ａ１５１をタッチするユーザ操作が行われた場合、例えば端末側表示部２２０は、トップメニュー画面の表示に戻る。
さらには、領域Ａ１５９は、操作画面に示されている操作を実行する場合のタッチ領域である。領域Ａ１５９をタッチするユーザ操作が行われた場合、操作対象の有価物管理装置１００（図７の例では出納機４１０）は、表示された内容（設定された内容）の処理を実行する。
【００５４】
図８は、端末側表示部２２０が表示する操作画面の第２の例を示す説明図である。同図では、出納機から重要物管理装置へ移動する現金を重要物管理装置に入金する際の操作画面の例を示している。
図８の画面は、図７の例で取り出された有価物を重要物管理装置に入れる場合の例を示している。このため、領域Ａ２１１に示される種別「現金・小切手」は、図７の領域Ａ１１１の表示と同様である。また、領域Ａ２２１に示される金種「１万円札（１００枚束）」も領域Ａ１２１の表示と同様である。また、領域Ａ２３１に示される数量の情報は図７の領域Ａ１３１の表示と同様である。また、領域Ａ２４１に示される保管先金庫室の情報は、図７の領域Ａ１４１の表示と同様である。
このように、図８に示される画面では、図７で入力された情報が表示されている。これにより、ユーザは各項目に情報を入力する必要がない。この点でユーザの負担を軽減させることができる。
領域Ａ２５９は、図８の領域Ａ１５９と同様、操作画面に示されている操作を実行する場合のタッチ領域である。領域Ａ２５９をタッチするユーザ操作が行われた場合、操作対象の有価物管理装置１００（図８の例では重要物管理装置４５０）は、表示された内容（設定された内容）の処理を実行する。
【００５５】
図９は、端末側表示部２２０が表示する操作画面の第３の例を示す説明図である。同図では、出納機４１０での出金処理において、出納機４１０のみならず、現金管理装置４４０との組み合わせで現金を出金する際の操作画面の例を示している。
図９の領域Ａ３１１は、出納機での取引種別を選択的に入力する欄である。例えば、ユーザは領域Ａ３１１にて、出納機４１０のみの出金、出納機４１０のみの入金、出納機４１０で出金と入金とを同時に行う入出金複合、現金管理装置４４０に対する入出金を優先のいずれかを選択する。現金管理装置４４０に対する入出金を優先とは、現金の入出金に際して、束紙幣および／または棒金の入出金は現金管理装置４４０を用いて優先的に行い、一つの金種であって１００枚未満の紙幣または５０枚未満の硬貨については、出納機４１０での入出金を行う処理である。
ここで、領域Ａ３１２に示されている下三角（▼）は、種別のメニューウインドウを表示するための操作領域である。ユーザが、領域Ａ３１２を選択する操作（例えば、領域Ａ３１２にタッチする操作）を行うと、端末側表示部２２０は、種別のメニューウインドウを表示する。ユーザは、表示されたメニューウインドウに示されている項目の何れかを選択する。図９の例では、種別として「出金：現金管理装置優先」が選択されている。
【００５６】
また、領域Ａ３２１は、金種を入力する欄である。領域Ａ３２２に示されている下三角は、金種のメニューウインドウを表示するための操作領域である。ユーザが、領域Ａ３２２を選択する操作を行うと、端末側表示部２２０は、金種のメニューウインドウを表示する。ユーザは、表示されたメニューウインドウに示されている項目の何れかを選択する。図９の例では、１番目の金種として「１万円札（バラ紙幣）」が選択され、２番目の金種として「１千円札（バラ紙幣）」が選択され、３番目の金種として「１万円札（１００枚束）」が選択され、以下同様にして、６番目の金種として「１０円硬貨（５０枚棒金）」が選択された例を示している。
なお、さらに必要であれば、７番目の金種が選択できるように、空欄の入力欄が準備されている。７番目の金種が選択され、後述のように、数量が入力されて、７番目の金種に関わる情報が確定すると、８番目の金種が選択できるように、空欄の入力欄が追加表示される。但し、入力欄の構成については、この例に限るものではない。
【００５７】
また、領域Ａ３３１は、数量を入力する欄である。具体的には、ユーザは、金種（領域Ａ３２１の１番目に表示されている「１万円札（バラ紙幣）」）を選択した後、続けて、選択した金種の数量を、図示外の端末側表示部２２０の操作画面に表示されるテンキーにタッチ操作して、領域Ａ３３１に入力する。図９の例では、数量として「５０」が入力されている。
同様に、領域Ａ３２１の２番目の金種を選択すると、領域Ａ３２１の２番目に表示されている「１千円札（バラ紙幣）」の数量を２番目の領域Ａ３３１に入力して、以下同様にして、６番目の領域Ａ３３１について「１０円硬貨（５０枚棒金）」の数量を入力することになる。
【００５８】
ここで、数量を入力した領域Ａ３３１の右方には、「枚」、「束」、「本」が表示されるが、これは、領域Ａ３２１に入力した金種によって、その表示の種類を変えるものである。バラ紙幣またはバラ硬貨であれば「枚」に、１００枚束の紙幣であれば「束」に、５０枚棒金の硬貨であれば「本」に自動的にその表示を変えることになる。
さらに、領域Ａ３３１の右方には、それぞれの金種および数量に応じた設定金額が自動的に計算されて表示される領域Ａ３４１が設けられている。
そして、それら領域Ａ３４１の下方には、自動計算されたそれぞれの設定金額の合計値が表示される領域Ａ３４２が設けられている。図９の例では、出金額の合計値が領域Ａ３４２に表示されている。
【００５９】
それぞれの金種および数量に応じた設定金額値が表示された領域Ａ３４１の右方には、それらの金額値に相当する紙幣およびまたは硬貨を、いずれの装置から出金するのかを、自動的に表示する領域Ａ３４９が設けられている。
すなわち、領域Ａ３１１で設定した取引種別、図９の例では、「出金：現金管理装置優先」の情報と、領域Ａ３２１で設定した金種情報とから、当該設定した金種の現金を、いずれの装置から出金するのかを自動的に判断して表示する。
図９の例では、領域Ａ３２１の１番目の金種が「１万円札（バラ紙幣）」であることから、自動的に、バラ紙幣の入出金を取り扱う「出納機４１０」が出金元の装置として、領域Ａ３４９の１番目に表示される。
続いて、領域Ａ３２１の２番目の金種が「１千円札（バラ紙幣）」であることから、同じくバラ紙幣の入出金を取り扱う「出納機４１０」が出金元の装置として、領域Ａ３４９の２番目に表示される。
これに対して、領域Ａ３２１の３番目の金種が「１万円札（１００枚束）」であることから、且つ、領域Ａ３１１で設定された取引種別が「出金：現金管理装置優先」であることから、束紙幣の入出金を取り扱う「現金管理装置４４０」が出金元の装置として、領域Ａ３４９の３番目に表示される。
以下同様にして、領域Ａ３２１の６番目の金種が「１０円硬貨（５０枚棒金）」であることから、且つ、領域Ａ３１１で設定された取引種別が「出金：現金管理装置優先」であることから、棒金の入出金を取り扱う「現金管理装置４４０」が出金元の装置として、領域Ａ３４９の６番目に表示される。
【００６０】
ここで、特に例示しないが、領域Ａ３１１で設定される取引種別が「出金：現金管理装置優先」ではなく、「出金：出納機優先」であり、かつ、図２の例のように出納機４１０が束出金部４３３及び棒金出金部４３８を有している場合、図９の例で示す領域Ａ３２１の３番目の金種が「１万円札（１００枚束）」であったとしても、その出金元の装置として、束紙幣の出金が可能な「出納機４１０」が設定される。
同様にして、図９の例で示す領域Ａ３２１の６番目の金種が「１０円硬貨（５０枚棒金）」であったとしても、その出金元の装置として、棒金の出金が可能な「出納機４１０」が設定される。
【００６１】
なお、出納機４１０の束出金部４３３又は棒金出金部４３８が出金可能な束数又は棒金数が不足している場合、端末側表示部２２０が、出金の設定変更をユーザに促す表示を行うようにしてもよい。
例えば、出納機４１０は、紙幣処理装置４１１の本体４２１内および硬貨処理装置４１３の本体内に収納しているバラ紙幣、束紙幣、バラ硬貨、棒金の収納量を検出する。すると、タブレット端末装置２００又は出納機４１０は、図９の領域Ａ３３１に例示される出金数量設定と、出納機４１０の収納量とを比較することで、出金可否を事前に判定することができる。設定された数量を出納機４１０から出金できない場合、タブレット端末装置２００は、出金できない旨を端末側表示部２２０の操作画面上に表示して、数量の変更をユーザに促す。あるいは、タブレット端末装置２００が、ユーザの承認操作に基づいて、不足の金種に限り、出納機４１０からの出金に代え、現金管理装置４４０からの出金に変更するようにしてもよい。
【００６２】
また、領域Ａ３５１は、操作画面に示されている操作を取り消す場合のタッチ領域である。領域Ａ３５１をタッチするユーザ操作が行われた場合、例えば端末側表示部２２０は、トップメニュー画面の表示に戻る。
さらには、領域Ａ３５９は、操作画面に示されている操作を実行する場合のタッチ領域である。領域Ａ３５９をタッチするユーザ操作が行われた場合、操作対象の有価物管理装置１００（図９の例では出納機４１０）は、表示された内容（設定された内容）の処理を実行する。
【００６３】
図１０は、端末側表示部２２０が表示する操作画面の第４の例を示す説明図である。同図では、出納機４１０での現金の入出金だけでは処理が完了しなかった分、すなわち、出納機４１０において設定した入出金について、現金管理装置４４０での処理が設定された分についての処理を実行する際の操作画面の例を示している。
【００６４】
前記したように、図９においては、出納機４１０で実行する処理と現金管理装置４４０で実行する処理とを設定しており、通常、現金管理装置４４０で実行する処理分については、出納機４１０での処理が行われた直後に続けて処理される。そこで、ユーザは、出納機４１０で実行すべき処理が済んだ後、現金管理装置４４０に移動して、図１０に例示される処理を実行する。
【００６５】
図１０の画面は、図９の例において、出納機４１０で事前に設定された現金管理装置４４０で実行すべき処理分の例を示している。このため、領域Ａ４１１に示される種別「出金」は、図９の領域Ａ３１１の表示と実質的に同じ内容を示している。また、領域Ａ４２１の１番目に示される金種「１万円札（１００枚束）」も領域Ａ３２１の３番目に示す表示と同様であり、領域Ａ４３１の１番目に示される数量の情報は図９の領域Ａ３３１の３番目に示す表示と同様である。同様にして、領域Ａ４２１の２番目に示される金種「１千円札（１００枚束）」も領域Ａ３２１の４番目に示す表示と同様であり、領域Ａ４３１の２番目に示される数量の情報は図９の領域Ａ３３１の４番目に示す表示と同様であり、領域Ａ４２１の４番目に示される金種「１０円硬貨（５０枚棒金）」も領域Ａ３２１の６番目に示す表示と同様であり、領域Ａ４３１の４番目に示される数量の情報は図９の領域Ａ３３１の６番目に示す表示と同様である。
【００６６】
さらには、数量が表示された領域Ａ４３１の右方には、「束」、「本」が表示されるが、これは、領域Ａ４２１に表示される金種によって、その表示の種類を変えるもので、１００枚束の紙幣であれば「束」に、５０枚棒金の硬貨であれば「本」に自動的にその表示が変わるものである。
さらに、その右方には、それぞれの金種および数量に応じた設定金額が自動的に計算されて表示される領域Ａ４４１が設けられている。
そして、それら領域Ａ４４１の下方には、自動計算されたそれぞれの設定金額の合計値が表示される領域Ａ４４２が設けられている。図１０の例では、現金管理装置４４０での出金額の合計値が領域Ａ４４２に表示されている。
このように、図１０に示される画面では、図９で入力された情報のうち、現金管理装置４４０で処理すべき情報のすべてが表示されている。これにより、ユーザは各項目に情報を入力する必要がない。この点でユーザの負担を軽減させることができる。
【００６７】
なお、図９の例で説明したように、領域Ａ３１１で入力する出納機での取引種別および領域Ａ３２１で入力する金種情報の入力内容によっては、入出する装置として設定される装置が、束紙幣および／または棒金のみを入出する現金管理装置４４０だけに限るケースも存在する。
ここで、前記したように、出納機４１０は、設置される店舗全体の貨幣処理を管理するものである。ユーザは、タブレット端末装置２００で、出納機４１０での処理を補足して束紙幣および／または棒金の入出を行う現金管理装置４４０の入出データを管理しつつ、併せて、現金管理装置４４０での処理に必要な情報も入力することになる。このように、ユーザは、出納機４１０の管理及び操作と、現金管理装置４４０の管理及び操作とをタブレット端末装置２００で一括して行うことができ、この点でユーザの負担を軽減させることができる。
【００６８】
端末側操作入力部２３０は、例えば端末側表示部２２０の表示画面に設けられてタッチパネルを構成するタッチセンサなどの入力デバイスを含んで構成され、ユーザ操作を受ける。特に、端末側操作入力部２３０は、有価物管理装置１００に対するユーザ操作を受ける。具体的には、有価物管理装置１００を操作するための操作画面を表示した状態で、ユーザがこの操作画面にて有価物管理装置１００への操作を行うと、端末側操作入力部２３０は、この操作を受ける。
撮像部２４０は、カメラを含んで構成され、撮像を行う。特に、撮像部２４０は、ユーザの顔画像を撮像する。撮像部２４０が撮像したユーザの顔画像は、ユーザの顔認証に用いられる。
【００６９】
端末側記憶部２８０は、タブレット端末装置２００が備える記憶デバイスを含んで構成され、各種データを記憶する。特に、端末側記憶部２８０は、端末側通信部２１０が通信接続している有価物管理装置１００への操作に関連する操作が行われる有価物管理装置１００へ送信される情報（当該有価物管理装置１００に処理を行わせるための情報）を記憶する。例えば、端末側記憶部２８０は、図７に示される操作画面への入力操作が行われると、図８に示される情報を記憶する。図７に示される情報は、出納機に送信される情報の例に該当する。一方、図８に示される情報は、重要物管理装置に送信される情報の例に該当する。
また、端末側記憶部２８０は、ユーザ毎に当該ユーザが操作可能な有価物管理装置１００を示す権限情報を記憶している。この権限情報は、端末側通信部２１０と有価物管理装置１００とが通信接続するか否かの判定に用いられる。
なお、端末側記憶部２８０に代えて、処理装置側記憶部１８０がこの権限情報を記憶するようにしてもよい。
【００７０】
端末側制御部２９０は、タブレット端末装置２００の各部を制御して各種機能を実行する。端末側制御部２９０は、例えば、タブレット端末装置２００が備えるＣＰＵが端末側記憶部２８０からプログラムを読み出して実行することで実現される。
端末側ユーザ認証部２９１は、撮像部２４０が撮像した顔画像に基づいて、ユーザの顔認証を行う。但し、端末側ユーザ認証部２９１が行う認証処理は顔認証に限らない。例えば、端末側ユーザ認証部２９１がパスワード認証を行うようにしてもよい。あるいは、タブレット端末装置２００が指紋リーダ装置を備え、端末側ユーザ認証部２９１が指紋認証を行うようにしてもよい。
【００７１】
装置接続部２９２は、端末側通信部２１０と有価物管理装置１００とを通信接続させるか否かを決定する。具体的には、装置接続部２９２は、端末側通信部２１０が通信接続可能な有価物管理装置１００がある場合、端末側記憶部２８０が記憶している権限情報を参照する。そして、タブレット端末装置２００のユーザがこの有価物管理装置１００にアクセスする権限を有していると判定した場合、装置接続部２９２は、端末側通信部２１０と有価物管理装置１００とを通信接続させる。一方、タブレット端末装置２００のユーザが当該有価物管理装置１００にアクセスする権限を有していないと判定した場合、装置接続部２９２は、端末側通信部２１０と有価物管理装置１００との通信接続を抑制する（通信接続させない）。
【００７２】
例えば、銀行において担当者毎に操作可能な装置が規定されている場合、装置接続部２９２がユーザの権限に基づいて端末側通信部２１０と有価物管理装置１００との通信接続の有無を制御することで、当該規定の実施を補助することができる。例えば、窓口担当者が操作可能な機器が窓口業務用の機器に制限されている場合、装置接続部２９２の制御によりタブレット端末装置２００は、窓口業務用の機器に通信接続するが、他の機器には通信接続しない。
【００７３】
処理情報取得部２９３は、端末側操作入力部２３０が受けたユーザ操作に基づいて、有価物管理装置１００に送信される情報を取得する。例えば、処理情報取得部２９３は、端末側通信部２１０が通信接続を許可され通信接続している有価物管理装置１００に対するユーザ操作を端末側操作入力部２３０が受けると、当該ユーザ操作を示す情報を生成する。端末側通信部２１０が当該情報を有価物管理装置１００に送信することで、有価物管理装置１００は、当該情報が示すユーザ操作に従って動作する。
なお、処理情報取得部２９３が取得する情報は、有価物管理装置１００に対する動作指示であってもよいし、支店番号、機械番号、処理通番、オペレータ情報、区画情報（金庫室の番号など）など、有価物管理装置１００の処理のパラメータとなる情報であってもよい。あるいは、処理情報取得部２９３が、有価物管理装置１００に記憶させる操作ログを取得するようにしてもよい。
【００７４】
また、処理情報取得部２９３は、端末側通信部２１０が通信接続している有価物管理装置１００（第１有価物管理装置）が行う処理に関連する処理を行う有価物管理装置１００（第２有価物管理装置）に処理を行わせるための情報を取得する。処理情報取得部２９３が、第１有価物管理装置に対するユーザ操作に基づいて、当該操作に関連する処理を第２有価物管理装置に行わせるための情報を生成するようにしてもよい。あるいは、第１有価物管理装置が、ユーザ操作に基づいて動作し、さらに第２有価物管理装置に処理を行わせるための情報を生成するようにしてもよい。この場合、処理情報取得部２９３は、第１有価物管理装置が生成した情報を取得し、端末側通信部２１０を制御して当該情報を第２有価物管理装置へ送信させる。
【００７５】
また、処理情報取得部２９３は、端末側通信部２１０が通信接続していない有価物管理装置１００への操作が行われた場合、この有価物管理装置１００への操作に基づく情報を取得し（例えば生成し）、取得した情報を端末側記憶部２８０に記憶させる。この場合、端末側通信部２１０は、当該有価物管理装置１００に通信接続すると、端末側制御部２９０の制御に従って当該情報を当該有価物管理装置１００へ送信する。
【００７６】
なお、処理情報取得部２９３が、第１有価物管理装置及び第２有価物管理装置の両方の入出金に関する情報を取得した場合、第１有価物管理装置の入出金に関する情報、第２有価物管理装置の入出金に関する情報のそれぞれに分けるようにしてもよい。
ここで、図９に示される情報は、出納機４１０からの出金の情報と、現金管理装置４４０からの出金の情報とを含んでいる。出納機４１０が、第１有価物管理装置の例に該当し、現金管理装置４４０が、第２有価物管理装置の例に該当し、図９に示される情報は、第１有価物管理装置及び第２有価物管理装置の両方の入出金に関する情報の例に該当する。
一方、図１０に示される情報は、現金管理装置４４０からの出金の情報である。図１０に示される情報は、第２有価物管理装置の入出金に関する情報の例に該当する。
【００７７】
処理情報取得部２９３が、図９に示される情報を出納機４１０からの出金の情報と現金管理装置４４０からの出金の情報とに分けることで、出納機４１０からの出金が全て完了したことを確認して、現金管理装置４４０からの出金に関する情報（図１０の情報）を端末側表示部２２０に表示させることができる。
このように、処理情報取得部２９３が、第１有価物管理装置及び第２有価物管理装置の両方の入出金に関する情報を、第１有価物管理装置の入出金に関する情報、第２有価物管理装置の入出金に関する情報のそれぞれに分けることで、第１有価物管理装置での入出金が全て完了したことを確認し、第２有価物管理装置での入出金をユーザに促すことができる。
【００７８】
図１１は、端末管理装置３００の機能構成を示す概略ブロック図である。同図に示すように、端末管理装置３００は、端末管理装置本体３０１と、端末ステーション３０２とを備える。端末管理装置本体３０１は、管理側通信部３１０と、管理側記憶部３８０と、管理側制御部３９０とを備える。管理側制御部３９０は、端末管理部３９１と、管理側ユーザ認証部３９２とを備える。
端末管理装置本体３０１は、タブレット端末装置２００に関する情報を一括管理する。特に端末管理装置本体３０１は、タブレット端末装置２００の貸出に関する情報を一括管理する。例えば、端末管理装置本体３０１は、タブレット端末装置２００が返却された際、当該タブレット端末装置２００から情報を読み出して記憶する。これにより、端末管理装置本体３０１は、複数のタブレット端末装置２００に関する情報を一括管理することができる。
端末管理装置本体３０１は、例えばパソコン（Personal Computer）を用いて構成される。
【００７９】
管理側通信部３１０は、端末側通信部２１０と通信を行う。
管理側表示部３２０は、例えば液晶パネルまたはＬＥＤパネル等の表示画面を含んで構成され、各種画像を表示する。
管理側操作入力部３３０は、例えばキーボード及びマウス等の入力デバイスを含んで構成され、ユーザ操作を受ける。特に、管理側操作入力部３３０は、貸出要求取得部の例に該当し、タブレット端末装置２００の貸出要求を示すユーザ操作を受ける。
管理側記憶部３８０は、端末管理装置３００が備える記憶デバイスを含んで構成され、各種情報を記憶する。特に、管理側記憶部３８０は、タブレット端末装置２００と当該タブレット端末装置２００を使用可能なユーザとが対応付けられたユーザ情報を記憶する。
【００８０】
管理側制御部３９０は、端末管理装置３００の各部を制御して各種機能を実行する。管理側制御部３９０は、例えば端末管理装置３００が備えるＣＰＵが管理側記憶部３８０からプログラムを読み出して実行することで実現される。
端末管理部３９１は、管理側操作入力部３３０が取得した貸出要求が示す情報と、貸出要求のあった端末装置の使用許可条件について検出された情報とが整合する場合に、貸出要求のあった端末装置を使用可能状態にする。例えば、ユーザは、管理側操作入力部３３０から、使用するタブレット端末装置２００、及びタブレット端末装置２００を使用するユーザを特定して貸出要求を入力する。すると、端末管理部３９１は、貸出要求からタブレット端末装置２００を使用するユーザの情報を読み出し、タブレット端末装置２００（ユーザ認証部２９１)がこのユーザの顔認証を行うよう設定する。
タブレット端末装置２００は、ユーザ認証に成功すると、有価物管理装置１００の端末装置としての動作を開始する。一方、ユーザ認証に失敗した場合、タブレット端末装置２００はタブレット端末装置２００自らをロック状態にする。タブレット端末装置２００がロック状態になっている場合、ユーザは、タブレット端末装置２００を使うことができない。
【００８１】
また、端末管理部３９１は、ユーザからのタブレット端末装置２００の貸出要求を取得した場合、管理側記憶部３８０が記憶しているユーザ情報を参照して、貸出対象のタブレット端末装置２００として当該ユーザが使用可能なタブレット端末装置２００をユーザ情報に基づいて選択する。
また、端末管理部３９１がタブレット端末装置２００の貸出要求を取得し、取得した貸出要求に操作対象の有価物管理装置１００を示す情報が含まれていた場合、端末管理部３９１は、操作対象の有価物管理装置１００を操作するための操作プログラムをタブレット端末装置２００に記憶させる。そして、端末管理部３９１は、この操作プログラムを記憶させたタブレット端末装置２００を貸出対象の端末装置として選択する。
【００８２】
また、端末管理部３９１は、貸し出されたタブレット端末装置２００が返却された場合、当該タブレット端末装置２００の端末側記憶部２８０が記憶している情報を、管理側記憶部３８０に記憶させる。
また、端末管理部３９１は、貸し出されたタブレット端末装置２００が返却された場合、当該タブレット端末装置２００が記憶している操作履歴情報を消去する。
また、端末管理部３９１と管理側表示部３２０との組み合わせは警告出力部の例に該当する。具体的には、貸し出されたタブレット端末装置２００に対して設定されている返却予定時刻が到来したことを端末管理部３９１検出し、かつ、このタブレット端末装置２００が返却されていないことを検出すると、管理側表示部３２０が、返却が遅れているタブレット端末装置２００がある旨のメッセージを表示する（警告を出力する）。
【００８３】
但し、返却が遅れているタブレット端末装置２００があることを示す警告を端末管理装置３００が出力する方法は、管理側表示部３２０によるメッセージの表示に限らない。例えば、端末管理装置３００がスピーカを備え、返却が遅れているタブレット端末装置２００があることを示す警告をスピーカが音声メッセージにて出力するようにしてもよい。この場合、端末管理部３９１とスピーカとの組み合わせが警告出力部の例に該当する。あるいは、返却が遅れているタブレット端末装置２００があることを示す情報を管理側通信部３１０が他の装置に送信するようにしてもよい。この場合、端末管理部３９１と管理側通信部３１０との組み合わせが警告出力部の例に該当する。
【００８４】
管理側ユーザ認証部３９２は、ユーザの認証処理を行う。例えば、タブレット端末装置２００の撮像部２４０がユーザの顔画像を撮像し、端末側通信部２１０が、顔画像を含む認証要求を管理側制御部３９０へ送信する。管理側制御部３９０では、認証要求に応じて、管理側ユーザ認証部３９２が顔認証を行う。
なお、管理側ユーザ認証部３９２が行う認証は顔認証に限らない。例えば、管理側ユーザ認証部３９２がパスワード認証を行うようにしてもよい。あるいは、タブレット端末装置２００が指紋リーダ装置を備え、端末側ユーザ認証部２９１が指紋認証を行うようにしてもよい。
【００８５】
なお、端末側ユーザ認証部２９１と管理側ユーザ認証部３９２との何れか一方に集約するようにしてもよい。すなわち、端末側ユーザ認証部２９１と管理側ユーザ認証部３９２との何れか一方があればよい。
また、認証を要求するユーザ操作を、タブレット端末装置２００と端末管理装置３００との何れが取得するようにしてもよい。認証情報についても、タブレット端末装置２００と端末管理装置３００との何れが取得するようにしてもよい。例えば、端末管理装置３００がカメラを備え、管理側操作入力部３３０にて認証要求操作を受けると、カメラでユーザの顔画像を撮像して顔認証を行うようにしてもよい。
【００８６】
端末ステーション３０２は、タブレット端末装置２００を収容する。端末ステーション３０２は、タブレット端末装置２００を収容している状態で、タブレット端末装置２００への充電を行う。
図１２は、端末管理装置３００の外形の例を示す説明図である。同図に示すように、端末ステーション３０２はタブレット端末装置２００を収納する。
また、端末ステーション３０２と端末管理装置本体３０１とは有線で接続されており、端末管理装置本体３０１は、端末ステーション３０２に格納されているタブレット端末装置２００の端末側記憶部２８０が記憶しているデータを書き換えることができる。
なお、端末ステーション３０２は有価物管理システム１に必須の構成ではない。例えば、端末管理装置３００がタブレット端末装置２００と無線通信にて情報をやり取りし、タブレット端末装置２００の状態を把握するようにしてもよい。
【００８７】
次に、図１３〜図１８を参照して有価物管理システム１の動作について説明する。
図１３は、有価物管理システム１の動作の概略を示す説明図である。
図１３の処理において、端末管理装置３００及びタブレット端末装置２００は、タブレット端末装置２００へのログイン処理を行う（ステップＳ１０１）。
次に、タブレット端末装置２００及び有価物管理装置１００は、有価物管理装置１００への装置接続処理を行う（ステップＳ１０２）。
【００８８】
上述したように、特に、処理装置側通信部１１０が近距離無線通信にてタブレット端末装置２００と接続することで、ユーザは、タブレット端末装置２００を有価物管理装置１００に近づけるという簡単な操作で、タブレット端末装置２００と通信接続させる有価物管理装置１００を選択することができる。あるいは、処理装置側通信部１１０が、タブレット端末装置２００と有線接続する接続端子を備え、この接続端子に接続されたタブレット端末装置２００と有線にて通信接続するようにしてもよい。
なお、タブレット端末装置２００が複数の有価物管理装置１００と接続可能な状態になった場合、例えば、端末側表示部２２０が、有価物管理装置１００の選択操作画面を表示するようにしてもよい。そして、タブレット端末装置２００が、ユーザが選択した有価物管理装置１００と通信接続するようにしてもよい。
【００８９】
なお、有価物管理装置１００とタブレット端末装置２００とが一対一に通信接続するようにしてもよい。これにより、有価物管理装置１００が複数のタブレット端末装置２００から同時に操作を受けて適切な処理を行えなくなる事態を回避することができる。
また、有価物管理装置１００とタブレット端末装置２００とが通信接続している状態では、有価物管理装置１００本体の操作入力部を無効にしてもよい（すなわち、操作を受け付けないようにしてもよい）。これにより、有価物管理装置１００が、有価物管理装置１００本体の操作入力部とタブレット端末装置２００とから同時に操作を受けて適切な処理を行えなくなる事態を回避することができる。
【００９０】
ステップＳ１０２の後、タブレット端末装置２００及び有価物管理装置１００は、タブレット端末装置２００の端末側操作入力部２３０が受ける有価物管理装置１００への操作に対応する処理を繰り返す（ステップＳ１０３）。このステップＳ１０３を繰り返す回数は任意回でよい。すなわち、タブレット端末装置２００及び有価物管理装置１００は、ステップＳ１０３の処理を０回以上実行する。なお、ステップＳ１０３の処理を０回とは、当該有価物管理装置１００に装置接続処理を行ったが、急用等で、直ちに切断処理が必要な場合を想定している。
ユーザ操作への対応を完了すると、タブレット端末装置２００及び有価物管理装置１００は、有価物管理装置１００からの切断処理を行う（ステップＳ１０４）。
このステップＳ１０２〜Ｓ１０４の処理を他の有価物管理装置１００でも繰り返し行う。なお、ステップＳ１０２〜Ｓ１０４の繰り返しの回数も任意回でよい。
そして、端末管理装置３００及びタブレット端末装置２００は、タブレット端末装置２００からのログアウト処理を行う（ステップＳ１０５）。
【００９１】
図１４は、端末管理装置３００及びタブレット端末装置２００が、ユーザのタブレット端末装置２００へのログイン処理を行う処理手順の例を示す説明図である。端末管理装置３００及びタブレット端末装置２００は、図１３のステップＳ１０１で図１４の処理を行う。
図１４の処理において、端末側操作入力部２３０が、タブレット端末装置２００へのログインを要求するユーザ操作（認証要求操作）を受ける（ステップＳ１１１）。
そして、端末側通信部２１０が端末管理装置３００へ認証要求を送信する（ステップＳ１１２）。
端末管理装置３００では、管理側ユーザ認証部３９２がユーザ認証を行う（ステップＳ１１３）。
【００９２】
なお、タブレット端末装置２００へのログイン操作（ログインを要求するユーザ操作）、認証情報のいずれも、タブレット端末装置２００、端末管理装置３００のいずれが取得するようにしてもよい。また、端末管理装置３００の管理側ユーザ認証部３９２、タブレット端末装置２００の端末側ユーザ認証部２９１の何れがユーザ認証を行うようにしてもよい。
例えば、ユーザが端末管理装置３００にてログイン操作を行い、持ち出すタブレット端末装置２００を登録するようにしてもよい。そして、端末管理装置３００が、ユーザ認証に成功すると登録されたタブレット端末装置２００の電源をオンにし、必要情報（例えば、ユーザＩＤ、認証情報など）を当該タブレット端末装置２００に記憶させるようにしてもよい。
ステップＳ１１３で管理側ユーザ認証部３９２がユーザ認証に成功すると、管理側記憶部３８０が管理側制御部３９０の制御に従って、ユーザ、端末装置、及びログインの日時を特定したログインの記録を記憶する（ステップＳ１１４）。
【００９３】
そして、管理側通信部３１０は、認証に成功した旨の通知と、ユーザ情報とをタブレット端末装置２００へ送信する（ステップＳ１１５）。例えば、管理側記憶部３８０がユーザのＩＤ（Identifier、識別情報）などのユーザ情報を記憶しておく。そして、管理側ユーザ認証部３９２が管理側記憶部３８０からユーザ情報を読み出し、管理側通信部３１０が、このユーザ情報を含む認証結果を送信する。
タブレット端末装置２００では、管理側通信部３１０が送信したユーザ情報に基づいてユーザ情報の設定を行う（ステップＳ１１６）。具体的には、管理側通信部３１０が送信したユーザ情報を、端末側記憶部２８０が装置接続部２９２の制御に従って記憶する。
なお、ステップＳ１１３で管理側ユーザ認証部３９２がユーザ認証に失敗した場合は、管理側ユーザ認証部３９２は、認証に失敗した旨の通知をタブレット端末装置２００へ送信する。タブレット端末装置２００では、この通知に基づいて端末側表示部２２０が認証に失敗した旨のメッセージを表示する。加えて、端末側表示部２２０は、ステップＳ１１１のログインを要求するユーザ操作を再度行うよう促すメッセージを表示する。
【００９４】
図１５は、タブレット端末装置２００及び有価物管理装置１００が、有価物管理装置１００への装置接続処理を行う手順の例を示す説明図である。タブレット端末装置２００及び有価物管理装置１００は、図１３のステップＳ１０２で図１５の処理を行う。
図１５の処理において、端末側通信部２１０が、通信可能な装置を検索する信号を送信する（ステップＳ１２１）。
端末側通信部２１０からの検索信号を受信した有価物管理装置１００では、処理装置側通信部１１０が、検索信号への応答を送信する（ステップＳ１２２）。処理装置側通信部１１０は、検索信号への応答に有価物管理装置１００の識別情報を含んで送信する。
【００９５】
検索応答を受信したタブレット端末装置２００では、装置接続部２９２が、応答のあった有価物管理装置１００へのアクセス権限の有無を判定する（ステップＳ１２３）。具体的には、装置接続部２９２は、端末側記憶部２８０から権限情報（ユーザ毎に当該ユーザが操作可能な有価物管理装置１００を示す情報）を読み出す。そして、装置接続部２９２は、応答のあった有価物管理装置１００をユーザが操作可能か否か（アクセス権限があるか否か）を判定する。
図１５の例では、装置接続部２９２は、応答のあった有価物管理装置１００をユーザが操作可能であると判定している。一方、応答のあった有価物管理装置１００をユーザが操作不可であると判定した場合は、タブレット端末装置２００は、ステップＳ１２１へ戻って他の装置を検索する。
【００９６】
アクセス権限ありと判定した装置接続部２９２は、応答のあった有価物管理装置１００への接続要求を端末側通信部２１０に送信させる（ステップＳ１２４）。
【００９７】
ステップＳ１２４で接続要求を受信した有価物管理装置１００では、接続管理部１９１が装置接続処理を行う（ステップＳ１２５）。ステップＳ１２３でアクセス権限を確認しているのでステップＳ１２５では装置接続に成功している。
装置接続に成功した接続管理部１９１は、処理装置側通信部１１０を制御して接続成功通知（装置接続に成功した旨の通知）をタブレット端末装置２００へ送信させる（ステップＳ１２６）。
さらに、操作プログラム送出処理部１９２が、処理装置側記憶部１８０から操作プログラム（タブレット端末装置２００を有価物管理装置１００の端末装置として機能させるプログラム）を読み出し、処理装置側通信部１１０を制御して操作プログラムをタブレット端末装置２００へ送信させる（ステップＳ１２７）。
操作プログラムを受信したタブレット端末装置２００では、受信した操作プログラムを一旦、端末側記憶部２８０に記憶させた上で、処理情報取得部２９３が操作プログラムを実行する（ステップＳ１２８）。これにより、タブレット端末装置２００は有価物管理装置１００の端末装置として機能する。
【００９８】
図１６は、タブレット端末装置２００及び有価物管理装置１００が、端末側操作入力部２３０が受ける有価物管理装置１００への操作に対応する処理の手順の例を示す説明図である。タブレット端末装置２００及び有価物管理装置１００は、図１３のステップＳ１０３で図１６の処理を行う。
図１６の処理において、端末側操作入力部２３０は、有価物管理装置１００へのユーザ操作を受けている（ステップＳ１３１）。
すると、処理情報取得部２９３が、ステップＳ１３１でのユーザ操作のログを端末側記憶部２８０に記憶させる（ステップＳ１３２）。
【００９９】
また、処理情報取得部２９３は、端末側通信部２１０を制御して操作通知（行われたユーザ操作を示す情報）を有価物管理装置１００へ送信させる（ステップＳ１３３）。操作通知は、有価物管理装置１００に処理を行わせるための情報の例に該当する。
操作通知を受信した有価物管理装置１００では、処理実行部１９３が、操作通知によって通知された処理を実行する（ステップＳ１３４）。
そして、処理実行部１９３は、ステップＳ１３４で実行した処理のログを処理装置側記憶部１８０に記憶させる（ステップＳ１３５）。
【０１００】
また、処理実行部１９３は、処理装置側通信部１１０を制御して処理結果通知をタブレット端末装置２００へ送信させる（ステップＳ１３６）。ここでいう処理結果通知は、ステップＳ１３４で実行した処理の結果を示す情報である。処理結果通知は、処理を完了したか、あるいはエラーが発生したかを示す。また、ステップＳ１３４で実行した処理が数値計算など値の変化を伴う場合は、その値をさらに示す。
処理結果通知を受信したタブレット端末装置２００では、処理情報取得部２９３が、端末側表示部２２０が表示している操作画面の表示を処理結果通知に基づいて更新する（ステップＳ１３７）。
【０１０１】
なお、図１３を参照して説明したように、タブレット端末装置２００は、複数の有価物管理装置１００に対して図１６の処理を行い得る。その際、処理情報取得部２９３が、１台目の有価物管理装置１００（第１有価物管理装置）に対するユーザ操作に基づいて、２台目以降の有価物管理装置１００（第２有価物管理装置）に処理を行わせるための情報を取得し得る。
例えば、第１有価物管理装置から第２有価物管理装置への現金の移動を指示し、かつ、移動金額を示すユーザ操作を端末側操作入力部２３０が受けた場合、処理情報取得部２９３は、第１有価物管理装置からの出金処理を行うこと及び移動金額と同じ出金額を示す情報（第１情報）をユーザ操作に基づいて生成する。また、処理情報取得部２９３は、第２有価物管理装置への入金処理を行うこと及び移動金額と同じ入金額を示す情報（第２情報）をユーザ操作に基づいて生成する。
この第２情報を端末側通信部２１０が第２有価物管理装置へ送信し、第２有価物管理装置が当該情報に基づいて処理を行う。例えば、第２有価物管理装置は、入金を受けるため金庫室のドアのロックを自動的に解除する。
このように、処理情報取得部２９３が第２情報を取得し、第２有価物管理装置が当該第２情報に基づいて動作することで、ユーザが第２有価物管理装置に対する操作を入力する負担を軽減することができる。
【０１０２】
図１７は、タブレット端末装置２００及び有価物管理装置１００が、有価物管理装置１００からの装置切断処理を行う手順の例を示す説明図である。タブレット端末装置２００及び有価物管理装置１００は、図１３のステップＳ１０４で図１７の処理を行う。
図１７の処理において、処理情報取得部２９３は、有価物管理装置１００から切断する条件が成立しているか否かを判定する（ステップＳ１４１）。有価物管理装置１００から切断する条件の例として、切断を指示するユーザ操作が行われたこと、及び、接続している有価物管理装置１００で行う操作を全て完了したことが挙げられる。図１７の例では、処理情報取得部２９３は条件が成立していると判定している。なお、条件が成立しないと判定した場合は、処理情報取得部２９３は、図１６のステップＳ１３１でのユーザ操作の取得、または、図１７のステップＳ１４１での切断する条件の成立の何れかを待ち受ける。
【０１０３】
ステップＳ１４１で条件が成立していると判定した処理情報取得部２９３は、端末側通信部２１０を制御して切断要求（有価物管理装置１００からの切断処理の実行を要求する信号）を有価物管理装置１００へ送信する（ステップＳ１４２）。
切断要求を受信した有価物管理装置１００では、接続管理部１９１が有価物管理装置１００からの切断処理を実行する（ステップＳ１４３）。
【０１０４】
切断処理を完了すると接続管理部１９１は処理装置側通信部１１０を制御して切断完了通知（切断を完了したこと通知する信号）をタブレット端末装置２００へ送信させる（ステップＳ１４４）。
切断完了通知を受信したタブレット端末装置２００では、装置接続部２９２が、操作プログラム、及び、有価物管理装置１００への操作に付随するデータを削除する（ステップＳ１４５）。
なお、後述するステップＳ１５３（図１８）で端末管理装置３００に通知する情報（取引情報、操作情報、障害情報など）については、ステップＳ１４５では削除せずに残しておく。あるいは、ステップＳ１５３で端末管理装置３００の制御に従って、タブレット端末装置２００が情報を一括して削除するようにしてもよい。
【０１０５】
図１８は、端末管理装置３００及びタブレット端末装置２００が、ユーザのタブレット端末装置２００からのログアウト処理を行う手順の例を示す説明図である。端末管理装置３００及びタブレット端末装置２００は、図１３のステップＳ１０５で図１８の処理を行う。
図１８の処理において、端末側操作入力部２３０は、タブレット端末装置２００からのログアウトを指示するユーザ操作を受けている（ステップＳ１５１）。なお、タブレット端末装置２００の端末側操作入力部２３０、端末管理装置３００の管理側操作入力部３３０の何れがログアウト操作（ログアウトを指示するユーザ操作）を受けるようにしてもよい。あるいは、ユーザがタブレット端末装置２００を端末ステーション３０２にセットする操作を、端末管理部３９１がログアウト操作として検出するようにしてもよい。
【０１０６】
ステップＳ１５１で端末側操作入力部２３０がログアウト操作を受けると、端末側通信部２１０は、端末管理装置３００へログアウト通知を送信する（ステップＳ１５２）。ここでいうログアウト通知は、ユーザがタブレット端末装置２００からログアウトしたことを通知する信号である。端末管理装置３００で端末の利用状況を一括管理していることから、タブレット端末装置２００から端末管理装置３００へログアウトの通知を行っている。
【０１０７】
ログアウト通知を受信した端末管理装置３００では、ユーザ、端末装置、及びログアウトの日時を特定したログアウトの記録を管理側記憶部３８０が記憶する（ステップＳ１５３）。また、端末管理装置３００は、タブレット端末装置２００の端末側記憶部２８０から、取引情報、操作情報、障害情報などの情報を読み出して、管理側記憶部３８０に記憶させる。これにより、端末管理装置３００は、複数のタブレット端末装置２００に関する情報を一括管理する。
そして、端末管理装置３００（特に、端末管理部３９１）は、タブレット端末装置２００を制御して、読出済みの情報を端末側記憶部２８０から削除させる。これにより、タブレット端末装置２００が初期化される。
そして、管理側通信部３１０は、記録完了通知（記録を完了したことを示す信号）をタブレット端末装置２００へ送信する（ステップＳ１５４）。
記録完了通知を受信したタブレット端末装置２００は、タブレット端末装置２００自らをシャットダウンする（ステップＳ１５５）。
【０１０８】
以上のように、端末側表示部２２０は、端末側表示部２２０自らが含まれているタブレット端末装置２００と有価物管理装置１００との通信接続を許可された場合、当該有価物管理装置１００を操作するための操作画面を表示する。そして、端末側操作入力部２３０は、有価物管理装置１００に対するユーザ操作を受ける。さらに、処理情報取得部２９３は、端末側操作入力部２３０が受けたユーザ操作に基づいて、通信接続を許可された有価物管理装置１００に送信される情報（当該有価物管理装置１００に処理を行わせるための情報）を取得する。端末側通信部２１０は、処理情報取得部２９３が取得した情報を、通信接続を許可された有価物管理装置１００へ送信する。また、有価物管理装置１００では、処理実行部１９３は、端末側通信部２１０が送信する情報に基づいて処理を行う。
これにより、タブレット端末装置２００は、通信接続を許可された有価物管理装置１００の端末として機能するので、有価物管理装置１００に操作入力部を実装可能な面積が小さい場合でも、ユーザの操作性を確保することができる。
【０１０９】
また、処理装置側記憶部１８０は、当該処理装置側記憶部１８０を含む有価物管理装置１００を操作するための操作画面をタブレット端末装置２００に表示させる操作プログラムを記憶する。そして、処理装置側通信部１１０は、この操作プログラムをタブレット端末装置２００へ送信する。タブレット端末装置２００では、端末側表示部２２０が、処理装置側通信部１１０が送信した操作プログラムを用いて操作画面を表示する。
このように、有価物管理装置１００が当該有価物管理装置１００に適用される操作プログラムを記憶しておき、タブレット端末装置２００へ送信することで、タブレット端末装置２００は、操作プログラムの選択などの処理を行う必要無しに、通信接続されている有価物管理装置１００に適用される操作プログラムを実行することができる。この点で、タブレット端末装置２００の負荷を低減させることができる。
【０１１０】
また、撮像部２４０は、ユーザの顔画像を撮像し、端末側ユーザ認証部２９１は、当該顔画像を用いて認証処理を行う。この認証により、タブレット端末装置２００は、タブレット端末装置２００を使用する権限のあるユーザが当該タブレット端末装置２００を使用する場合のみ、有価物管理装置１００の端末として機能する。この点で、有価物管理装置１００に対する不正操作が行われる可能性を低減させることができる。
なお、上述したように、タブレット端末装置２００（端末側ユーザ認証部２９１）が認証処理を行うようにしてもよいし、端末管理装置３００（管理側ユーザ認証部３９２）が認証処理を行うようにしてもよい。
さらには、タブレット端末装置２００が認証処理を行う場合、図１３に示すように、当初の１回だけの認証処理に限るものではなく、任意の複数のタイミングで、ユーザの認証処理を行わせるようにさせることもでき、これにより、他のユーザによる不正操作の可能性をさらに低減させることができる。
【０１１１】
また、処理情報取得部２９３は、端末側操作入力部２３０が受けたユーザ操作に基づいて、端末側通信部２１０が通信接続している有価物管理装置１００（第１有価物管理装置）に処理を行わせるための情報（第１情報）を取得する。また、処理情報取得部２９３は、端末側操作入力部２３０が受けたユーザ操作に基づいて、第１有価物管理装置が行う処理に関連する処理を行う有価物管理装置１００（第２有価物管理装置）に処理を行わせるための情報（第２情報）を取得する。そして、端末側記憶部２８０は、第２情報を記憶する。また、端末側通信部２１０は、第１情報を処理情報取得部２９３が取得した場合、第１有価物管理装置へ第１情報を送信する。また、第２有価物管理装置と端末側通信部２１０自らとが通信接続した場合、第２有価物管理装置へ第２情報を送信する。
これにより、複数の有価物管理装置１００の各々への操作が関連している場合に、タブレット端末装置２００は、先に操作が行われる有価物管理装置１００へのユーザ操作に基づいて、後に操作が行われる有価物管理装置１００に対する情報を取得し送信することができる。この点において、後に操作が行われる有価物管理装置１００への操作をユーザがタブレット端末装置２００に入力する手間を軽減することができる。
【０１１２】
また、端末側記憶部２８０は、ユーザ毎に当該ユーザが操作可能な有価物管理装置１００を示す権限情報を記憶する。そして、装置接続部２９２は、端末側通信部２１０が通信接続可能な有価物管理装置１００がある場合、当該端末側通信部２１０と当該有価物管理装置１００とを通信接続させるか否かを権限情報に基づいて決定する。
これにより、装置接続部２９２は、ユーザが操作権限を有していない有価物管理装置１００への通信接続を抑制することができる。この点で、有価物管理装置１００に対する誤操作（特に、誤った有価物管理装置１００への操作）の可能性を低減することができる。また、ユーザが操作権限を有していない有価物管理装置１００への不正操作の可能性を低減させることができる。
【０１１３】
また、処理装置側記憶部１８０は、ユーザ毎に当該ユーザが操作可能な有価物管理装置を示す権限情報を記憶する。そして、装置接続部２９２は、処理装置側通信部１１０が通信接続可能なタブレット端末装置２００がある場合、当該処理装置側通信部１１０と当該タブレット端末装置２００との通信接続を許可するか否かを権限情報に基づいて決定する。
これにより、装置接続部２９２は、ユーザが操作権限を有していない有価物管理装置１００への通信接続を抑制することができる。この点で、有価物管理装置１００に対する誤操作（特に、誤った有価物管理装置１００への操作）の可能性を低減することができる。また、ユーザが操作権限を有していない有価物管理装置１００への不正操作の可能性を低減させることができる。
【０１１４】
また、処理情報取得部２９３は、端末側通信部２１０が通信接続していない有価物管理装置１００に対するユーザ操作を端末側操作入力部２３０が受けた場合、当該ユーザ操作に基づいて当該有価物管理装置１００に処理を行わせるための情報を取得する。そして、処理情報取得部２９３は、取得した情報を端末側通信部２１０に記憶させる。そして、端末側通信部２１０は、当該有価物管理装置１００と通信接続した場合に、当該情報を当該有価物管理装置１００に送信する。
これにより、ユーザは、タブレット端末装置２００が操作対象の有価物管理装置１００と通信接続できない場合に、当該有価物管理装置１００への操作を予めタブレット端末装置２００に入力しておくことができる。タブレット端末装置２００は、操作対象の有価物管理装置１００と通信接続した際、予め入力された操作を速やかに有価物管理装置１００に通知することができる。この点で、ユーザが有価物管理装置１００への操作をタブレット端末装置２００に入力するタイミングの自由度が高まる。
例えば、操作対象の有価物管理装置１００を他のユーザが使用している場合や、タブレット端末装置２００が有価物管理装置１００と通信可能なエリアに無い場合でも、ユーザは、有価物管理装置１００への操作を予めタブレット端末装置２００に入力しておくことができる。
【０１１５】
なお、処理装置側通信部１１０が、複数のタブレット端末装置２００と同時に通信接続可能であってもよい。
【０１１６】
また、端末側表示部２２０は、端末側表示部２２０自らを備える端末側通信部２１０からのログアウト操作を端末側操作入力部２３０が受け、かつ、端末側記憶部２８０が有価物管理装置１００へ送信される情報（当該有価物管理装置１００に処理を行わせるための情報）を記憶している場合に警告を出力（表示）する。
このように、端末側通信部２１０からのユーザのログアウト時に、有価物管理装置１００へ未送信の情報が端末側記憶部２８０に残っている場合、端末側表示部２２０がユーザへの警告を表示する。これにより、有価物管理装置１００への操作の実行漏れが発生する可能性を低減させることができる。
【０１１７】
また、管理側操作入力部３３０は、タブレット端末装置２００の貸出要求を取得する。そして、端末管理部３９１は、当該貸出要求が示す情報と、貸出要求のあったタブレット端末装置２００の使用許可条件について検出された情報とが整合する場合に、貸出要求のあったタブレット端末装置２００を使用可能状態にする。
これにより、端末管理部３９１は、使用許可条件に不適合のユーザがタブレット端末装置２００を使用することを抑制することできる。この点で、権限を有していないユーザによる有価物管理装置１００への不正操作の可能性を低減させることができる。
【０１１８】
また、管理側記憶部３８０は、タブレット端末装置２００と当該タブレット端末装置２００を使用可能なユーザとが対応付けられたユーザ情報を記憶する。そして、端末管理部３９１は、ユーザからのタブレット端末装置２００の貸出要求を取得した場合、貸出対象のタブレット端末装置２００として、当該ユーザが使用可能なタブレット端末装置２００をユーザ情報に基づいて選択する。
これにより、端末管理部３９１は、ユーザに応じて使用権限のあるタブレット端末装置２００を選択することができる。この点で、ユーザが使用権限の無いタブレット端末装置２００を使用して有価物管理装置１００への不正操作を行う可能性を低減させることができる。
【０１１９】
また、処理装置側記憶部１８０は、処理装置側記憶部１８０自らを含む有価物管理装置１００を操作するための操作画面をタブレット端末装置２００に表示させる操作プログラムを記憶する。そして、処理装置側通信部１１０は、当該有価物管理装置１００とタブレット端末装置２００とが通信接続された場合、通信接続されたタブレット端末装置２００に操作プログラムを送信する。
これにより、タブレット端末装置２００は通信接続された有価物管理装置１００の端末装置として機能することができる。ユーザが操作対象の有価物管理装置１００への操作を行えない可能性を低減させることができる点で、ユーザの利便性を確保することができる。
【０１２０】
また、端末側表示部２２０は、有価物管理装置１００に予め定められた範囲内に位置する場合に、当該有価物管理装置１００を操作するための操作画面を表示する。
これにより、ユーザは、有価物管理装置１００に定められた範囲内にタブレット端末装置２００を位置させるという簡単な動作で、操作する有価物管理装置１００を選択することができる。
【０１２１】
また、端末管理部３９１が、貸し出されたタブレット端末装置２００に対して設定されている返却予定時刻が到来したことを検出し、かつ、当該タブレット端末装置２００が返却されていないことを検出すると、管理側表示部３２０は警告を出力（表示）する。
これにより、端末管理装置３００は、端末管理部３９１の貸出期限管理を支援することができる。すなわち、タブレット端末装置２００を管理する管理者は、管理側表示部３２０が表示する警告を参照して、端末管理部３９１の貸出期限徒過を把握することができる。
【０１２２】
また、端末管理部３９１は、貸し出されたタブレット端末装置２００が返却された場合、当該タブレット端末装置２００が記憶している操作履歴情報を消去する。
これにより、タブレット端末装置２００を次の使用のためにリセットすることができ、特に、タブレット端末装置２００が次に使用される際にメモリ不足となる可能性を低減させることができる。また、操作履歴情報が漏えいする可能性を低減させることができる。
【０１２３】
また、端末管理部３９１は、貸し出されたタブレット端末装置２００が返却された場合、当該タブレット端末装置２００の端末側記憶部２８０が記憶している情報を、管理側記憶部３８０に記憶させる。
これにより、端末管理装置３００は、端末管理部３９１が記憶する情報を一括管理することができる。
【０１２４】
また、タブレット端末装置２００が操作に関する情報を記憶しておくことで、当該情報を説明用に用いことができる。例えば、ユーザが現金の格納場所について問い合わせを受けた場合、タブレット端末装置２００が記憶している入出金の記録を参照しながら、現金の格納場所を説明することができる。
また、ユーザは、有価物管理装置１００に関する情報をタブレット端末装置２００に表示させることで、有価物管理装置１００が表示画面を有していない場合や、有価物管理装置１００の表示画面が小さい場合でも、情報を見易く表示させることができる。例えば、ユーザは、保守設定情報及び勘定情報など、一覧性のある情報をタブレット端末装置２００に表示させることで、これらの情報を見易くすることができる。
【０１２５】
＜第２の実施形態＞
第１の実施形態では、タブレット端末装置２００が有価物管理装置１００から操作プログラムを取得する場合について説明したが、タブレット端末装置２００が操作プログラムを予め記憶しておくようにしてもよい。第２の実施形態では、タブレット端末装置２００が操作プログラムを予め記憶している場合について説明する。
第２の実施形態に係る有価物管理システム１の装置構成は、図１を参照して説明したのと同様であり、説明を省略する。
【０１２６】
図１９は、本発明の第２の実施形態に係る有価物管理装置の機能構成を示す概略ブロック図である。同図に示すように、有価物管理装置１００は、処理装置側通信部１１０と、処理装置側表示部１２０と、処理装置側操作入力部１３０と、処理装置側記憶部１８０と、処理装置側制御部１９０とを備える。処理装置側制御部１９０は、接続管理部１９１と、処理実行部１９３とを備える。
図１９の各部のうち、図２の各部に対応して同様の機能を有する部分には同一の符号（１００、１１０、１２０、１３０、１８０、１９０、１９１、１９３）を付して説明を省略する。
【０１２７】
第２の実施形態の有価物管理装置１００（図１９）は、操作プログラム送出処理部１９２を備えていない点で、第１の実施形態の有価物管理装置１００（図２）の場合と異なる。第２の実施形態では、タブレット端末装置２００が操作プログラムを予め記憶しているので、有価物管理装置１００は、タブレット端末装置２００に操作プログラムを送信する必要がない。このため、有価物管理装置１００が操作プログラム送出処理部１９２を備えていない。それ以外の点では、第２の実施形態の有価物管理装置１００の機能構成は、第１の実施形態の場合と同様である。
【０１２８】
図２０は、本実施形態に係るタブレット端末装置の機能構成を示す概略ブロック図である。同図に示すように、タブレット端末装置２００は、端末側通信部２１０と、端末側表示部２２０と、端末側操作入力部２３０と、撮像部２４０と、端末側記憶部２８０と、端末側制御部２９０とを備える。端末側制御部２９０は、端末側ユーザ認証部２９１と、装置接続部２９２と、処理情報取得部２９３と、端末側操作プログラム管理部２９４とを備える。
図２０の各部のうち、図６の各部に対応して同様の機能を有する部分には同一の符号（２００、２１０、２２０、２３０、２４０、２８０、２９０、２９１、２９２、２９３）を付して説明を省略する。
【０１２９】
第２の実施形態のタブレット端末装置２００（図２０）は、端末側操作プログラム管理部２９４を備えている点で、第１の実施形態のタブレット端末装置２００（図６）の場合と異なる。また、端末側記憶部２８０は、操作プログラムを、有価物管理装置１００に応じて複数、予め記憶している。端末側記憶部２８０が、有価物管理装置１００毎に操作プログラムを記憶するようにしてもよい。あるいは、同一種類の有価物管理装置１００について同一の操作プログラムを利用可能である場合、端末側記憶部２８０が、有価物管理装置１００の種類毎に（例えば、出納機、現金管理装置、重要物管理装置の各々について）操作プログラムを記憶するようにしてもよい。
上記以外の点では、第２の実施形態のタブレット端末装置２００の機能構成は、第１の実施形態の場合と同様である。
【０１３０】
端末側操作プログラム管理部２９４は、端末側操作プログラム管理部２９４自らを備えるタブレット端末装置２００と何れかの有価物管理装置１００との通信接続を許可された場合に、端末側記憶部２８０が記憶している操作プログラムのうち、通信接続を許可された有価物管理装置１００に応じた操作プログラムを選択する。上述したように、操作プログラムは、有価物管理装置１００を操作するための操作画面を端末装置に表示させるプログラム（従って、タブレット端末装置２００を有価物管理装置１００の端末装置として機能させるプログラム）である。
端末側表示部２２０は、第１の実施形態の場合と同様、操作プログラムを実行して操作画面を表示する。第２の実施形態では、端末側操作プログラム管理部２９４が操作プログラムを選択しており、端末側表示部２２０は、この操作プログラムを実行する。
第２の実施形態における端末管理装置３００の機能構成は、図１１を参照して説明したのと同様であり、説明を省略する。
【０１３１】
このように、第２の実施形態では、端末側記憶部２８０が操作プログラムを予め記憶している。これにより、タブレット端末装置２００は、有価物管理装置１００から操作プログラムを受信（ダウンロード）する必要がない。この点において、有価物管理装置１００及びタブレット端末装置２００の負荷を低減させることができる。
また、タブレット端末装置２００は、操作プログラムの受信完了を待たずに有価物管理装置１００の端末装置として動作することができる。すなわち、タブレット端末装置２００は、有価物管理装置１００と通信接続した後、速やかに有価物管理装置１００の端末装置として動作することができる。
【０１３２】
次に、図２１及び図２２を参照して、第２の実施形態における有価物管理システム１の動作について説明する。第２の実施形態における有価物管理システム１の動作の概略は、図１３を参照して説明したのと同様であり、説明を省略する。また、図１３のステップＳ１０１、Ｓ１０３、Ｓ１０５での処理の詳細は、それぞれ図１４、図１６、図１８を参照して説明したのと同様であり、説明を省略する。第２の実施形態では、図１３のステップＳ１０２及びＳ１０４での処理の詳細が、第１の実施形態の場合と異なる。
【０１３３】
図２１は、第２の実施形態において、タブレット端末装置２００及び有価物管理装置１００が、有価物管理装置１００への装置接続処理を行う手順の例を示す説明図である。タブレット端末装置２００及び有価物管理装置１００は、図１３のステップＳ１０２で図２１の処理を行う。
図２１の各ステップのうち、図１５の各ステップと同様の処理を行うものについて同一の符号（Ｓ１２１、Ｓ１２２、Ｓ１２３、Ｓ１２４、Ｓ１２５、Ｓ１２６、１２８）を付して説明を省略する。図２１の処理は、有価物管理装置１００がタブレット端末装置２００へ操作プログラムを送信するステップＳ１２７が含まれていない点で図１５の場合と異なる。他の処理は、図１５の場合と同様である。
第２の実施形態では、端末側記憶部２８０が予め操作プログラムを記憶しているので、有価物管理装置１００がタブレット端末装置２００へ操作プログラムを送信する必要がない。このため、図２１の処理には、ステップＳ１２７が含まれていない。
【０１３４】
図２２は、第２の実施形態において、タブレット端末装置２００及び有価物管理装置１００が、有価物管理装置１００からの装置切断処理を行う手順の例を示す説明図である。タブレット端末装置２００及び有価物管理装置１００は、図１３のステップＳ１０４で図２２の処理を行う。
図２２の各ステップのうち、図１７の各ステップと同様の処理を行うものについて同一の符号（ステップＳ１４１、Ｓ１４２、Ｓ１４３、Ｓ１４４）を付して説明を省略する。図２２の処理では、ステップＳ２４５で装置接続部２９２が、有価物管理装置１００への操作に付随するデータのみを削除し、操作プログラム自体は削除しない。この点で、装置接続部２９２が操作プログラム、及び、有価物管理装置１００への操作に付随するデータを削除するステップＳ１４５の処理と異なる。他の処理は、図１７の場合と同様である。
第２の実施形態では、端末側記憶部２８０が操作プログラムを予め記憶しており、操作プログラムの実行後も操作プログラムの削除を行わない。このため、図２２のステップＳ２４５でも、装置接続部２９２は操作プログラムの削除を行わない。
【０１３５】
以上のように、端末側記憶部２８０は、有価物管理装置１００を操作するための操作画面を端末側表示部２２０に表示させる操作プログラムを、有価物管理装置１００に応じて複数記憶する。そして、端末側操作プログラム管理部２９４は、タブレット端末装置２００と何れかの有価物管理装置１００との通信接続を許可された場合に、端末側記憶部２８０が記憶している複数の操作プログラムのうち、通信接続を許可された有価物管理装置１００に応じた操作プログラムを選択する。そして、端末側表示部２２０は、端末側操作プログラム管理部２９４が選択した操作プログラムを用いて操作画面を表示する。
このように、タブレット端末装置２００が操作プログラムを記憶しておき、通信接続を許可された有価物管理装置１００に適用される操作プログラムを選択し実行することで、タブレット端末装置２００は、通信にて操作プログラムを取得する必要無しに適切な操作プログラムを実行することができる。この点で、通信負荷を低減することができる。また、操作プログラムを通信する時間が不要なので、タブレット端末装置２００は、速やかに操作プログラムの実行を開始して有価物管理装置１００の端末として機能することができる。
【０１３６】
＜第３の実施形態＞
第１の実施形態では、タブレット端末装置２００が有価物管理装置１００から操作プログラムを取得する場合について説明したが、タブレット端末装置２００が端末管理装置３００から操作プログラムを取得するようにしてもよい。第３の実施形態では、タブレット端末装置２００が端末管理装置３００からプログラムを取得する場合について説明する。
第３の実施形態に係る有価物管理システム１の装置構成は、図１を参照して説明したのと同様であり、説明を省略する。
【０１３７】
第３の実施形態に係る有価物管理装置１００の機能構成は、図１９を参照して説明したのと同様であり、説明を省略する。第２の実施形態の場合と同様、第３の実施形態でも有価物管理装置１００はプログラムをタブレット端末装置２００に送信する必要がない。このため、図１９のように有価物管理装置１００は操作プログラム送出処理部１９２を備えていない。
第３の実施形態に係るタブレット端末装置２００の機能構成は、図２０を参照して説明したのと同様であり、説明を省略する。第３の実施形態のタブレット端末装置２００は、複数の有価物管理装置１００の端末装置として機能するために、端末管理装置３００から複数の操作プログラムを取得して端末側記憶部２８０に記憶させておく場合がある。このため第２の実施形態の場合と同様、第３の実施形態のタブレット端末装置２００も、図２０のように端末側操作プログラム管理部２９４を備えている。
【０１３８】
図２３は、本発明の第３の実施形態に係る端末管理装置３００の機能構成を示す概略構成図である。同図に示すように、端末管理装置３００は、端末管理装置本体３０１と、端末ステーション３０２とを備える。端末管理装置本体３０１は、管理側通信部３１０と、管理側記憶部３８０と、管理側制御部３９０とを備える。管理側制御部３９０は、端末管理部３９１と、管理側ユーザ認証部３９２と、管理側操作プログラム管理部３９３とを備える。
図２３の各部のうち、図１１の各部に対応して同様の機能を有する部分には同一の符号（３００、３０１、３０２、３１０、３２０、３３０、３８０、３９０、３９１、３９２）を付して説明を省略する。
【０１３９】
第３の実施形態の端末管理装置３００（図２３）は、管理側操作プログラム管理部３９３を備えている点で、第１の実施形態の端末管理装置３００（図１１）の場合と異なる。また、管理側記憶部３８０は、有価物管理システム１が備える有価物管理装置１００の各々に対応する操作プログラムを記憶している。管理側記憶部３８０が、有価物管理装置１００毎に操作プログラムを記憶するようにしてもよい。あるいは、同一種類の有価物管理装置１００について同一の操作プログラムを利用可能である場合、管理側記憶部３８０が、有価物管理装置１００の種類毎に操作プログラムを記憶するようにしてもよい。
上記以外の点では、第３の実施形態の端末管理装置３００の機能構成は、第１の実施形態の場合と同様である。
【０１４０】
管理側操作プログラム管理部３９３は、管理側記憶部３８０から操作プログラムを読み出してタブレット端末装置２００へ送信する。具体的には、端末管理装置３００がタブレット端末装置２００と通信して、タブレット端末装置２００がアクセスする有価物管理装置１００を、タブレット端末装置２００に問い合わせる。タブレット端末装置２００は、アクセスする有価物管理装置１００を示す情報（どの有価物管理装置１００の操作プログラムが必要かを示す情報）を端末管理装置３００に送信する。タブレット端末装置２００がアクセスする有価物管理装置１００が複数ある場合は、タブレット端末装置２００は、アクセスする全ての有価物管理装置１００を示す情報を送信する。そして、管理側操作プログラム管理部３９３は、タブレット端末装置２００がアクセスする有価物管理装置１００の操作プログラムを管理側記憶部３８０から読み出し、管理側通信部３１０にタブレット端末装置２００へ送信させる。タブレット端末装置２００がアクセスする有価物管理装置１００が複数ある場合、管理側操作プログラム管理部３９３は、タブレット端末装置２００がアクセスする全ての有価物管理装置１００の操作プログラムを管理側記憶部３８０から読み出し、管理側通信部３１０にタブレット端末装置２００へ送信させる。
そして、タブレット端末装置２００では、受信した一つ以上の操作プログラムを端末側記憶部２８０に記憶する。
管理側通信部３１０と管理側操作プログラム管理部３９３との組み合わせは、使用情報送信部の例に該当する。管理側操作プログラム管理部３９３が操作プログラムを選択し、管理側通信部３１０が選択されたプログラムを送信する。
【０１４１】
次に、図２４及び図２５を参照して、第３の実施形態における有価物管理システム１の動作について説明する。第３の実施形態における有価物管理システム１の動作の概略は、図１３を参照して説明したのと同様であり、説明を省略する。また、図１３のステップＳ１０２、Ｓ１０３、Ｓ１０４での処理の詳細は、それぞれ図２１、図１６、図２２を参照して説明したのと同様であり、説明を省略する。第３の実施形態では、図１３のステップＳ１０１及びＳ１０５での処理の詳細が、第２の実施形態の場合と異なる。
【０１４２】
図２４は、第３の実施形態において、端末管理装置３００及びタブレット端末装置２００が、ユーザのタブレット端末装置２００へのログイン処理を行う手順の例を示す説明図である。端末管理装置３００及びタブレット端末装置２００は、図１３のステップＳ１０１で図２４の処理を行う。
図２４の各ステップのうち、図１４の各ステップと同様の処理を行うものについて同一の符号（Ｓ１１１、Ｓ１１２、Ｓ１１３、Ｓ１１４、Ｓ１１５、Ｓ１１６）を付して説明を省略する。図２４の処理は、ステップＳ２１１〜Ｓ２１５を含む点で図１４の場合と異なる。
【０１４３】
ステップＳ１１６でユーザ情報を設定した後、タブレット端末装置２００の端末側操作プログラム管理部２９４は、操作予定情報を取得する（ステップＳ２１１）。ここでいう操作予定情報は、ユーザがどの有価物管理装置１００に対して操作を行うかを、操作の早い順に示す情報である。端末側操作プログラム管理部２９４は、端末側操作入力部２３０が受けるユーザ操作によって、操作予定情報を取得する。例えば、端末側表示部２２０が、「現金を出納機から重要物管理装置へ移動させる」など幾つかの項目を含むメニューを表示し、ユーザがこのメニューの何れかの項目を選択する。端末側操作プログラム管理部２９４は、ユーザが選択した項目から、ユーザがどの有価物管理装置１００に対して操作を行うかを検出する。
そして、端末側操作プログラム管理部２９４は、得られた操作予定情報を、端末側通信部２１０を制御して端末管理装置３００へ送信させる（ステップＳ２１２）。
【０１４４】
操作予定情報を受信した端末管理装置３００では、管理側操作プログラム管理部３９３が、管理側記憶部３８０が記憶している操作プログラムのうち、タブレット端末装置２００へ送信する操作プログラムを選択する（ステップＳ２１３）。管理側記憶部３８０が有価物管理装置１００毎に操作プログラムを記憶している場合、管理側操作プログラム管理部３９３は、操作予定情報を参照して、タブレット端末装置２００がアクセスする有価物管理装置１００毎に操作プログラムを選択する。あるいは、管理側記憶部３８０が有価物管理装置１００の種類毎に操作プログラムを記憶している場合、管理側操作プログラム管理部３９３は、操作予定情報を参照して、タブレット端末装置２００がアクセスする有価物管理装置１００の種類毎に操作プログラムを選択する。
【０１４５】
そして、管理側操作プログラム管理部３９３は管理側通信部３１０を制御して、ステップＳ２１３で選択した操作プログラムをタブレット端末装置２００へ送信させる（ステップＳ２１４）。
操作プログラムを受信したタブレット端末装置２００では、端末側操作プログラム管理部２９４が、当該操作プログラムを端末側記憶部２８０に記憶させる（ステップＳ２１５）。
【０１４６】
なお、ステップＳ２１１において、端末側操作プログラム管理部２９４が、操作予定情報の取得に代えて、ステップＳ１１６で設定したユーザ情報をもとに、当該ユーザに使用権限が与えられている有価物管理装置１００毎の情報、または有価物管理装置１００の種類毎の情報を取得するようにしてもよい。そして、ステップＳ２１２にて、端末側操作プログラム管理部２９４が、操作予定情報に代えて、当該有価物管理装置１００毎の情報、または有価物管理装置１００の種類毎の情報を端末管理装置３００へ送信するようにしてもよい。端末管理装置３００では、端末管理部３９１が、送信された当該有価物管理装置１００毎の情報、または有価物管理装置１００の種類毎の情報に基づいて、タブレット端末装置２００へ送信する操作プログラムを選択する。例えば、端末管理部３９１は、ユーザに使用権限が与えられている全ての有価物管理装置１００の操作プログラムを、タブレット端末装置２００へ送信する操作プログラムとして選択する。
これにより、ユーザは操作予定情報を入力する必要無しにタブレット端末装置２００を使用することができる。
【０１４７】
図２５は、第３の実施形態において、端末管理装置３００及びタブレット端末装置２００が、タブレット端末装置２００からのログアウト処理を行う手順の例を示す説明図である。端末管理装置３００及びタブレット端末装置２００は、図１３のステップＳ１０５で図２５の処理を行う。
図２５の各ステップのうち、図１８の各ステップと同様の処理を行うものについて同一の符号（Ｓ１５１、Ｓ１５２、Ｓ１５３、Ｓ１５４、Ｓ１５５）を付して説明を省略する。図２５の処理は、ステップＳ２５１が含まれている点で、図１８の場合と異なる。他の処理は、図１８の場合と同様である。
【０１４８】
ステップＳ１５４で記録完了通知を受信したタブレット端末装置２００では、端末側操作プログラム管理部２９４が、端末側記憶部２８０が記憶している操作プログラムを削除する（ステップＳ２５１）。タブレット端末装置２００は、起動時には操作プログラムを含んでおらず、この起動時の状態に戻すためである。
ステップＳ２５１の後、ステップＳ１５５へ遷移する。
【０１４９】
以上のように、端末管理部３９１は、タブレット端末装置２００の貸出要求であって操作予定対象ないしは使用権限のある有価物管理装置１００を示す情報を含む貸出要求を取得した場合、当該操作予定対象ないしは使用権限のある有価物管理装置１００を操作するための操作プログラムをタブレット端末装置２００に記憶させ、当該操作プログラムを記憶させたタブレット端末装置２００を貸出対象の端末装置として選択する。
この端末管理装置３００によれば、ユーザが、操作予定対象ないしは使用権限のある有価物管理装置１００の端末として使用できないタブレット端末装置２００を誤って選択してしまう可能性を低減させることができる。この点で、ユーザの利便性を得られる。
【０１５０】
＜第４の実施形態＞
第２の実施形態では、タブレット端末装置２００が予め操作プログラムを記憶している場合について説明した。有価物管理システム１が複数のタブレット端末装置２００を備える場合、全てのタブレット端末装置２００が全ての有価物管理装置１００用の操作プログラムを記憶している必要はない。第４の実施形態では、有価物管理システム１が複数のタブレット端末装置２００を備え、各タブレット端末装置２００が予め操作プログラムを記憶している場合について説明する。
【０１５１】
図２６は、本発明の第４の実施形態に係る有価物管理システム１の装置構成を示す概略構成図である。同図に示すように、有価物管理システム１は、複数の有価物管理装置１００と、複数のタブレット端末装置２００と、端末管理装置３００とを備える。
図２６では、有価物管理システム１が複数のタブレット端末装置２００を備えることが明示されている。これ以外の点では、第４の実施形態における有価物管理システム１の装置構成は、第１の実施形態の場合と同様である。なお、第４の実施形態で有価物管理システム１が備えるタブレット端末装置２００の数は２つ以上（複数）であればよい。
【０１５２】
第４の実施形態に係る有価物管理装置１００の機能構成は、図１９を参照して説明したのと同様であり、説明を省略する。第２の実施形態の場合と同様、第４の実施形態でも有価物管理装置１００はプログラムをタブレット端末装置２００に送信する必要がない。このため、図１９のように有価物管理装置１００は操作プログラム送出処理部１９２を備えていない。
第４の実施形態に係るタブレット端末装置２００の機能構成は、図２０を参照して説明したのと同様であり、説明を省略する。第４の実施形態のタブレット端末装置２００は、複数の有価物管理装置１００の端末装置として機能するために、端末管理装置３００から複数の操作プログラムを取得しておく場合がある。このため第２の実施形態の場合と同様、第４の実施形態のタブレット端末装置２００も、図２０のように端末側操作プログラム管理部２９４を備えている。
【０１５３】
図２７は、本発明の第４の実施形態に係る端末管理装置３００の機能構成を示す概略構成図である。同図に示すように、端末管理装置３００は、端末管理装置本体３０１と、端末ステーション３０２とを備える。端末管理装置本体３０１は、管理側通信部３１０と、管理側記憶部３８０と、管理側制御部３９０とを備える。管理側制御部３９０は、端末管理部３９１と、管理側ユーザ認証部３９２と、端末選択部３９４とを備える。
図２７の各部のうち、図１１の各部に対応して同様の機能を有する部分には同一の符号（３００、３０１、３０２、３１０、３２０、３３０、３８０、３９０、３９１、３９２）を付して説明を省略する。
【０１５４】
第４の実施形態の端末管理装置３００（図２７）は、端末選択部３９４を備えている点で、第１の実施形態の端末管理装置３００（図１１）の場合と異なる。また、管理側記憶部３８０は、有価物管理装置１００に対応する操作プログラムを記憶している。第４の実施形態では、全てのタブレット端末装置２００が全ての有価物管理装置１００用の操作プログラムを記憶している必要はない。但し、有価物管理システム１が備えるどの有価物管理装置１００についても、１つ以上のタブレット端末装置２００が操作プログラムを記憶しているようにする。
【０１５５】
なお、管理側記憶部３８０が、有価物管理装置１００毎に操作プログラムを記憶するようにしてもよい。あるいは、同一種類の有価物管理装置１００について同一の操作プログラムを利用可能である場合、管理側記憶部３８０が、有価物管理装置１００の種類毎に操作プログラムを記憶するようにしてもよい。
上記以外の点では、第４の実施形態の端末管理装置３００の機能構成は、第１の実施形態の場合と同様である。
【０１５６】
端末選択部３９４は、ユーザが有価物管理装置１００に行わせる処理に応じて、ユーザが使用するタブレット端末装置２００を選択する。具体的には、端末選択部３９４は、ユーザが有価物管理装置１００に行わせる処理を示す情報を取得し、この情報から、ユーザがアクセスする有価物管理装置１００を判定する。そして、端末選択部３９４は、ユーザがアクセスする全ての有価物管理装置１００に対応する操作プログラムを記憶しているタブレット端末装置２００を選択する。
【０１５７】
なお、ユーザが有価物管理装置１００に行わせる処理によっては、ユーザが使用する全ての有価物管理装置１００に対応する操作プログラムを１つのタブレット端末装置２００で記憶しているタブレット端末装置２００がない場合がある。この場合、例えば、端末選択部３９４は、ユーザが最初に使用する有価物管理装置１００、ユーザが２番目に使用する有価物管理装置１００、・・・と順に調べていき、１つのタブレット端末装置２００で有価物管理装置１００を使用できなくなるのが最も遅いタブレット端末装置２００を選択する。
【０１５８】
例えば、有価物管理システム１が、タブレット端末装置２００Ａ、２００Ｂの２つを備えており、ユーザが有価物管理装置１００Ａ、１００Ｂ、１００Ｃ、１００Ｄの順に使用する場合を想定する。また、タブレット端末装置２００Ａが有価物管理装置１００Ａ、１００Ｃ及び１００Ｄに対応する操作プログラムを記憶しているが、有価物管理装置１００Ｂに対する操作プログラムを記憶していないものとする。また、タブレット端末装置２００Ｂが、有価物管理装置１００Ａ及び１００Ｂに対応する操作プログラムを記憶しているが、有価物管理装置１００Ｃ及び１００Ｄに対応する操作プログラムを記憶していないものとする。
【０１５９】
この場合、端末選択部３９４は、タブレット端末装置２００Ｂを選択する。ユーザはタブレット端末装置２００Ｂを用いて、有価物管理装置１００Ａに対する操作を行い、続いて有価物管理装置１００Ｂに対する操作を行うことができる。ユーザが有価物管理装置１００Ｂに対する操作を行う際、有価物管理装置１００Ａに対する操作に関連してタブレット端末装置２００Ｂが記憶している情報についてタブレット端末装置２００Ｂが自動的に設定するようにすれば、ユーザの負担を低減させることができる。
これに対し、仮に、ユーザがタブレット端末装置２００Ａを用いる場合、ユーザは、有価物管理装置１００への操作を行った後、有価物管理装置１００Ｂに対する操作を行うために、タブレット端末装置２００Ａからタブレット端末装置２００Ｂに取り換える必要がある。この場合、ユーザが有価物管理装置１００Ｂに対する操作を行う際、タブレット端末装置２００Ｂは、有価物管理装置１００Ａに対する操作に関連する情報を記憶しておらず、当該情報を自動的に設定することはできない。従って、ユーザが最初にタブレット端末装置２００Ａを用いた場合、ユーザの負担を低減させることはできない。
【０１６０】
次に、図２８を参照して、第４の実施形態における有価物管理システム１の動作について説明する。第４の実施形態における有価物管理システム１の動作の概略は、図１３を参照して説明したのと同様であり、説明を省略する。また、図１３のステップＳ１０２、Ｓ１０３、Ｓ１０４、Ｓ１０５での処理の詳細は、それぞれ図２１、図１６、図２２、図１８を参照して説明したのと同様であり、説明を省略する。第４の実施形態では、図１３のステップＳ１０１での処理の詳細が、第２の実施形態の場合と異なる。
【０１６１】
図２８は、第４の実施形態において、端末管理装置３００及びタブレット端末装置２００が、ユーザのタブレット端末装置２００へのログイン処理を行う手順の例を示す説明図である。端末管理装置３００及びタブレット端末装置２００は、図１３のステップＳ１０１で図２８の処理を行う。
図２８の各ステップのうち、図１４の各ステップと同様の処理を行うものについて同一の符号（Ｓ１１１、Ｓ１１２、Ｓ１１３、Ｓ１１４、Ｓ１１５、Ｓ１１６）を付して説明を省略する。図２６の処理は、ステップＳ２１６〜Ｓ２１８を含む点で図１４の場合と異なる。
【０１６２】
図２８の処理において、端末選択部３９４は、操作予定情報を取得する（ステップＳ２１６）。上述したように、操作予定情報は、ユーザがどの有価物管理装置１００に対して操作を行うかを、操作の早い順に示す情報である。端末選択部３９４は、管理側操作入力部３３０が受けるユーザ操作によって、操作予定情報を取得する。例えば、管理側表示部３２０が、「現金を出納機から重要物管理装置へ移動させる」など幾つかの項目を含むメニューを表示し、ユーザがこのメニューの何れかの項目を選択する。端末選択部３９４は、ユーザが選択した項目から、ユーザがどの有価物管理装置１００に対して操作を行うかを検出する。
【０１６３】
そして、端末選択部３９４は、得られた操作予定情報に基づいてタブレット端末装置２００を選択する（ステップＳ２１７）。例えば、管理側記憶部３８０が、タブレット端末装置２００毎に当該タブレット端末装置２００が記憶している操作プログラムを示す情報を予め記憶しておく。そして、端末選択部３９４は、当該情報と操作予定情報とを参照して、ユーザが操作を行う全ての有価物管理装置１００に対応する操作プログラムを記憶しているタブレット端末装置２００を選択する。なお、ユーザが操作を行う全ての有価物管理装置１００に対応する操作プログラムを記憶しているタブレット端末装置２００がない場合、端末選択部３９４は、上記のように、１つのタブレット端末装置２００で有価物管理装置１００を使用できなくなるのが最も遅いタブレット端末装置２００を選択する。
【０１６４】
そして、端末選択部３９４は、選択結果（選択したタブレット端末装置２００を示す情報）を管理側表示部３２０に表示させる（ステップＳ２１８）。なお、端末管理部３９１が、端末ステーション３０２に格納されているタブレット端末装置２００が動作しないようにロックしておき、端末選択部３９４が選択したタブレット端末装置２００のみを起動させるようにしてもよい。これにより、ユーザが誤って他のタブレット端末装置２００を使用することを防止できる。また、悪意ある者が使用を許可されていないタブレット端末装置２００を不正に使用する可能性を低減させることができる。
ステップＳ２１８の後、ステップＳ１１１へ遷移する。すなわち、ユーザは、ステップＳ２１８で表示されたタブレット端末装置２００を用いて、タブレット端末装置２００へのログイン操作を行う。
【０１６５】
以上のように、端末側記憶部２８０は、１つ以上の有価物管理装置１００について当該有価物管理装置１００を操作するための操作プログラムを記憶する。そして、端末選択部３９４は、タブレット端末装置２００の貸出要求であって操作対象の有価物管理装置１００を示す情報を含む貸出要求を取得した場合、操作対象の有価物管理装置１００を操作するための操作プログラムを記憶しているタブレット端末装置２００（当該操作プログラムを記憶している端末側記憶部２８０を備えるタブレット端末装置２００）を、貸出対象のタブレット端末装置２００として選択する。
この端末管理装置３００によれば、ユーザが、操作対象の有価物管理装置１００の端末として使用できないタブレット端末装置２００を誤って選択してしまう可能性を低減させることができる。この点で、ユーザの利便性を得られる。
【０１６６】
＜第５の実施形態＞
第３の実施形態では図２４を参照して、端末管理装置３００が、ユーザが操作予定の有価物管理装置１００の操作プログラムをタブレット端末装置２００に記憶させる場合を例に説明した。これに対し、第３の実施形態で上述したように、端末管理装置３００が、ユーザが操作予定の有価物管理装置１００に限らず、ユーザに使用権限が与えられている全ての有価物管理装置１００の操作プログラムをタブレット端末装置２００に記憶させるようにしてもよい。第５の実施形態では、この点について説明する。
【０１６７】
図２９は、本発明の第５の実施形態に係る端末管理装置３００の外形の例を示す説明図である。図１２の場合と同様、図２９の例でも、端末ステーション３０２は、タブレット端末装置２００を収容している状態で、タブレット端末装置２００への充電を行う。一方、図２９の例では、端末ステーション３０２の側面に、タブレット端末装置２００を収納するスロット毎に番号「１」、「２」、「３」が表示されている点で、図１２の場合と異なる。
【０１６８】
図３０は、第５の実施形態において、端末管理装置３００及びタブレット端末装置２００が、ユーザに応じてタブレット端末装置２００を使用可能な状態に設定する処理手順の例を示す説明図である。端末管理装置３００及びタブレット端末装置２００は、図１３のステップＳ１０１で図２４の処理を行う。
図３０の処理において、端末管理装置３００が、タブレット端末装置２００を使用予定のユーザによる端末管理装置３００へのログインを要求するユーザ操作（認証要求操作）を受ける（ステップＳ４０１）。そして、管理側ユーザ認証部３９２がユーザ認証を行う（ステップＳ４０２）。
【０１６９】
ステップＳ４０２で管理側ユーザ認証部３９２がユーザ認証に成功すると、端末管理部３９１が、端末ステーションに収容されているタブレット端末装置２００のうち何れか１つを選択する（ステップＳ４０３）。
次に、管理側記憶部３８０が管理側制御部３９０の制御に従って、ユーザ、ステップＳ４０３で選択された端末装置、及びログインの日時を特定したログインの記録を記憶する（ステップＳ４０４）。
【０１７０】
また、端末管理部３９１が、ログインしたユーザが操作を許可された有価物管理装置１００を抽出する（ステップＳ４０５）。例えば、管理側記憶部３８０が、ユーザが操作を許可された有価物管理装置１００をユーザ毎に示す操作許可情報を予め記憶しておく。そして、端末管理部３９１は、操作許可情報を参照して、ログインしたユーザが操作を許可された有価物管理装置１００を示す情報を読み出す。なお、端末管理装置３００以外の装置が操作許可情報を記憶しておくようにしてもよい。例えば、有価物管理システム１が、各種情報を管理する管理データベース装置をさらに備え、管理データベース装置がユーザに関する情報の一部として操作許可情報を予め記憶しておくようにしてもよい。この場合、端末管理部３９１は、管理側通信部３１０を介して管理データベース装置にアクセスし、操作許可情報を参照して、ログインしたユーザが操作を許可された有価物管理装置１００を示す情報を読み出す。
【０１７１】
ステップＳ４０５の後、端末管理部３９１は、ログインしたユーザに許可された有価物管理装置１００を操作するための操作プログラムを選択する（ステップＳ４０６）。許可された有価物管理装置１００が複数ある場合、端末管理部３９１は、許可された全ての有価物管理装置１００について当該有価物管理装置１００を操作するための操作プログラムを選択する。
なお、管理側記憶部３８０が操作プログラムを予め記憶しておくようにしてもよいし、例えば管理データベース装置など端末管理装置３００以外の装置が操作プログラムを予め記憶しておくようにしてもよい。
【０１７２】
ステップＳ４０６の後、端末管理部３９１は、ステップＳ４０６で選択した操作プログラムを、ステップＳ４０３で選択したタブレット端末装置２００へ管理側通信部３１０を介して送信する（ステップＳ４０７）。ステップＳ４０６で複数の操作プログラムを選択した場合、端末管理部３９１は、選択した全ての操作プログラムをタブレット端末装置２００へ送信する。
タブレット端末装置２００では、端末管理部３９１が送信した操作プログラムを端末側制御部２９０が端末側記憶部２８０に記憶させる（ステップＳ４０８）。なお、インストールが必要な操作プログラムについては、端末管理部３９１は、端末側記憶部２８０に記憶させたプログラムをインストールする。このように、端末管理部３９１は、端末管理部３９１が送信した操作プログラムを全て実行可能な状態にする。
端末側制御部２９０は、端末管理部３９１が送信したプログラムを全て端末側記憶部２８０に記憶させ、プログラムを実行可能な状態になると、プログラムの記憶を完了した旨を示す記憶完了通知を、端末側通信部２０１を介して端末管理装置３００へ送信する（ステップＳ４０９）。
【０１７３】
記憶完了通知を受信した端末管理装置３００では、端末管理部３９１が、ステップＳ４０３で選択したタブレット端末装置２００を示す情報を管理側表示部３２０に表示させる（ステップＳ４１０）。例えば、ステップＳ４０３で端末管理部３９１が、図２９の端末ステーション３０２の番号「２」のスロットに収納されているタブレット端末装置２００を選択した場合、ステップＳ４１０では、番号「２」を管理側表示部３２０に表示させる。
【０１７４】
但し、端末管理装置３００がステップＳ４０３で選択したタブレット端末装置２００を指定する方法は、タブレット端末装置２００に対応付けられた番号を管理側表示部３２０が表示する方法に限らない。
例えば、端末ステーション３０２が、タブレット端末装置２００を収納するスロット毎に発光ダイオード等のランプを備えるようにしてもよい。この場合、端末管理部３９１は、ステップＳ４０３で選択したタブレット端末装置２００が収納されているスロットのランプを点灯させることで、タブレット端末装置２００の指定を表示する。
あるいは、端末ステーション３０２が、スロットに収納されているタブレット端末装置２００を取り出せないようにロックする機構を備えていてもよい。この場合、端末管理部３９１は、タブレット端末装置２００の指定の表示に加えて、あるいは代えて、指定するタブレット端末装置２００以外のタブレット端末装置２００を全てロックする。ユーザは、取り出し可能なタブレット端末装置２００を使用することで、操作プログラムを記憶済みのタブレット端末装置２００を使用することができる。
【０１７５】
＜第６の実施形態＞
第６の実施形態では、有価物管理システム１が端末管理装置３００を備えていない場合の参考例について説明する。
【０１７６】
図３１は、本発明の第６の実施形態に係る有価物管理システムの装置構成を示す概略構成図である。同図に示すように、有価物管理システム１は、有価物管理装置１００と、タブレット端末装置２００とを備える。
図３１の各部のうち、図１の各部に対応して同様の機能を有する部分には同一の符号（１、１００、２００）を付して説明を省略する。
第６の実施形態の有価物管理システム１（図３１）は、端末管理装置３００を備えていない点で、第１の実施形態の有価物管理システム１（図１）の場合と異なる。それ以外の点では、第６の実施形態の有価物管理システム１の装置構成は、第１の実施形態の場合と同様である。
【０１７７】
図３２は、第６の実施形態における、有価物管理システム１の動作の概略を示す説明図である。
図３２の各ステップのうち、図１３の各ステップと同様の処理を行うものについて同一の符号（Ｓ１０２、Ｓ１０３、Ｓ１０４）を付して説明を省略する。図３２の処理は、図１３のステップＳ１０１、Ｓ１０５に代えて、それぞれステップＳ３０１、Ｓ３０５を含む。図１３ではタブレット端末装置２００及び端末管理装置３００がステップＳ１０１及びＳ１０５の処理を行ったのに対し、図３２の処理では、タブレット端末装置２００が単独でステップＳ３０１及びＳ３０５の処理を行う。他の処理は、図１３の場合と同様である。
【０１７８】
図３３は、第６の実施形態において、タブレット端末装置２００が、ユーザのタブレット端末装置２００へのログイン処理を行う処理手順の例を示す説明図である。タブレット端末装置２００は、図３２のステップＳ３０１で図３３の処理を行う。
図３３の処理において、端末側操作入力部２３０が、タブレット端末装置２００へのログインを要求するユーザ操作を受ける（ステップＳ３１１）。
そして、端末側ユーザ認証部２９１がユーザ認証を行う（ステップＳ３１２）。
【０１７９】
端末側ユーザ認証部２９１は、ステップＳ３１２でユーザ認証に成功すると、端末側記憶部２８０が記憶している複数ユーザ分のユーザ情報の中から、認証に成功したユーザの情報を選択する（ステップＳ３１３）。これにより、タブレット端末装置２００へのユーザのログイン処理が完了となる。
なお、ステップＳ３１２で端末側ユーザ認証部２９１がユーザ認証に失敗した場合は、端末側表示部２２０が認証に失敗した旨のメッセージを表示する。加えて、端末側表示部２２０は、ステップＳ３１１のログインを要求するユーザ操作を再度行うよう促すメッセージを表示する。
【０１８０】
図３４は、第６の実施形態において、タブレット端末装置２００が、ユーザのタブレット端末装置２００からのログアウト処理を行う手順の例を示す説明図である。タブレット端末装置２００は、図３２のステップＳ３０５で図３４の処理を行う。
図３４の処理において、端末側操作入力部２３０は、タブレット端末装置２００からのログアウトを指示するユーザ操作を受けている（ステップＳ３５１）。
そして、端末側制御部２９０は、タブレット端末装置２００をシャットダウンする（ステップＳ３５２）。
【０１８１】
以上のように、有価物管理システム１が端末管理装置３００を備えていない場合も、第１の実施形態〜第５の実施形態で上述したのと同様に、タブレット端末装置２００は、有価物管理装置１００と通信接続し、当該有価物管理装置１００の端末装置として動作する。これにより、上述したのと同様の効果を得られる。
【０１８２】
なお、処理装置側制御部１９０、端末側制御部２９０及び管理側制御部３９０の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。また上記プログラムは、前述した機能の一部を実現するためのものであっても良く、さらに前述した機能をコンピュータシステムにすでに記録されているプログラムとの組み合わせで実現できるものであっても良い。
【０１８３】
以上、本発明の実施形態について図面を参照して詳述してきたが、具体的な構成はこの実施形態に限られるものではなく、この発明の要旨を逸脱しない範囲の設計変更等も含まれる。
【符号の説明】
【０１８４】
１  有価物管理システム
１００  有価物管理装置
１１０  処理装置側通信部
１２０  処理装置側表示部
１３０  処理装置側操作入力部
１８０  処理装置側記憶部
１９０  処理装置側制御部
１９１  接続管理部
１９２  操作プログラム送出処理部
１９３  処理実行部
２００  タブレット端末装置
２１０  端末側通信部
２２０  端末側表示部
２３０  端末側操作入力部
２４０  撮像部
２８０  端末側記憶部
２９０  端末側制御部
２９１  端末側ユーザ認証部
２９２  装置接続部
２９３  処理情報取得部
２９４  端末側操作プログラム管理部
３００  端末管理装置
３０１  端末管理装置本体
３０２  端末ステーション
３１０  管理側通信部
３２０  管理側表示部
３３０  管理側操作入力部
３８０  管理側記憶部
３９０  管理側制御部
３９１  端末管理部
３９２  管理側ユーザ認証部
３９３  管理側操作プログラム管理部
３９４  端末選択部
【図１】
0006618177.tif 000002
【図２】
0006618177.tif 000003
【図３】
0006618177.tif 000004
【図４】
0006618177.tif 000005
【図５】
0006618177.tif 000006
【図６】
0006618177.tif 000007
【図７】
0006618177.tif 000008
【図８】
0006618177.tif 000009
【図９】
0006618177.tif 000010
【図１０】
0006618177.tif 000011
【図１１】
0006618177.tif 000012
【図１２】
0006618177.tif 000013
【図１３】
0006618177.tif 000014
【図１４】
0006618177.tif 000015
【図１５】
0006618177.tif 000016
【図１６】
0006618177.tif 000017
【図１７】
0006618177.tif 000018
【図１８】
0006618177.tif 000019
【図１９】
0006618177.tif 000020
【図２０】
0006618177.tif 000021
【図２１】
0006618177.tif 000022
【図２２】
0006618177.tif 000023
【図２３】
0006618177.tif 000024
【図２４】
0006618177.tif 000025
【図２５】
0006618177.tif 000026
【図２６】
0006618177.tif 000027
【図２７】
0006618177.tif 000028
【図２８】
0006618177.tif 000029
【図２９】
0006618177.tif 000030
【図３０】
0006618177.tif 000031
【図３１】
0006618177.tif 000032
【図３２】
0006618177.tif 000033
【図３３】
0006618177.tif 000034
【図３４】
0006618177.tif 000035